(57)【特許請求の範囲】
【請求項１】
ｅＮＢと時分割複信（ＴＤＤ）通信しているユーザ機器（ＵＥ）によって実行されるワイヤレス通信の方法であって、
前記ｅＮＢとのＴＤＤ通信のための第１のアップリンク−ダウンリンク（ＵＬ−ＤＬ）構成を決定することと、
前記ｅＮＢとのＴＤＤ通信のために使用されることになる第２のＵＬ−ＤＬ構成に前記第１のＵＬ−ＤＬ構成を変更する、再構成メッセージを受信することと、
不連続受信（ＤＲＸ）モードに切り替わることと、
ＤＲＸオン期間中に前記ｅＮＢからの制御情報をモニタすること、ここにおいて、前記ＤＲＸオン期間の頻度は、基準ＴＤＤ  ＵＬ−ＤＬ構成に基づき、前記ＤＲＸオン期間の前記頻度は、前記第２のＵＬ−ＤＬ構成に関係ない、と
を備える、方法。
【請求項２】
前記ＤＲＸモードから切り替わることと、
前記ｅＮＢとの通信のために使用されることになる新たなＵＬ−ＤＬ構成を決定することと
をさらに備える、請求項１に記載の方法。
【請求項３】
前記新たなＵＬ−ＤＬ構成を決定することは、
動的再構成モードへの切り替えインジケーションと、前記切り替えを開始するタイミングとを前記ｅＮＢから受信することと、
後続の無線フレームのための前記新たなＵＬ−ＤＬ構成を受信することと
を備え、前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
請求項２に記載の方法。
【請求項４】
前記ＤＲＸモードから前記切り替わることは、
ＤＲＸアクティブ期間中に前記ｅＮＢから制御情報を受信することを備える、
請求項２に記載の方法。
【請求項５】
前記ＤＲＸモードから前記切り替わることは、
データが前記ｅＮＢに送信されることを決定することと、
データが前記ＵＥから送信されるというインジケーションを前記ｅＮＢに送信することと
を備える、請求項２に記載の方法。
【請求項６】
前記基準ＴＤＤ  ＵＬ−ＤＬ構成は、前記第１のＵＬ−ＤＬ構成であり、前記第１のＵＬ−ＤＬ構成は、初期ＵＬ−ＤＬ構成であり、
前記初期ＵＬ−ＤＬ構成は、システム情報ブロックタイプ１（ＳＩＢ１）において受信される、
請求項１に記載の方法。
【請求項７】
前記基準ＴＤＤ  ＵＬ−ＤＬ構成は、前記第１のＵＬ−ＤＬ構成とは異なり、前記第１のＵＬ−ＤＬ構成は初期ＵＬ−ＤＬ構成であり、
前記基準ＴＤＤ  ＵＬ−ＤＬ構成は、前記ＵＥへの無線リソース制御メッセージにおいて受信される、
請求項１に記載の方法。
【請求項８】
複数の時分割複信（ＴＤＤ）アップリンク−ダウンリンク（ＵＬ−ＤＬ）構成のうちの１つを使用して動作するように構成されたワイヤレス通信ユーザ機器（ＵＥ）装置であって、
ｅＮＢとのＴＤＤ通信のための第１のアップリンク−ダウンリンク（ＵＬ−ＤＬ）構成を決定するための手段と、
前記ｅＮＢとのＴＤＤ通信のために使用されることになる第２のＵＬ−ＤＬ構成に前記第１のＵＬ−ＤＬ構成を変更する、再構成メッセージを受信するための手段と、
不連続受信（ＤＲＸ）モードに切り替わるための手段と、
ＤＲＸオン期間中に前記ｅＮＢからの制御情報をモニタするための手段、前記ＤＲＸオン期間の頻度は、基準ＴＤＤ  ＵＬ−ＤＬ構成に基づき、前記前記ＤＲＸオン期間の前記頻度は、前記第２のＵＬ−ＤＬ構成に関係ない、と
を備える、装置。
【請求項９】
前記ＤＲＸモードから切り替わるための手段と、
前記ｅＮＢとの通信のために使用されることになる新たなＵＬ−ＤＬ構成を決定するための手段と
をさらに備える、請求項８に記載の装置。
【請求項１０】
前記新たなＵＬ−ＤＬ構成を決定するための前記手段は、
動的再構成モードへの切り替えインジケーションと、前記切り替えを開始するタイミングとを前記ｅＮＢから受信するための手段と、
後続の無線フレームのための前記新たなＵＬ−ＤＬ構成を受信するための手段と
を備え、前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
請求項９に記載の装置。
【請求項１１】
前記ＤＲＸモードから切り替わるための前記手段は、
ＤＲＸアクティブ期間中に前記ｅＮＢから制御情報を受信するための手段を備える、
請求項９に記載の装置。
【請求項１２】
前記ＤＲＸモードから切り替わるための前記手段は、
データが前記ｅＮＢに送信されることを決定するための手段と、
データが前記ＵＥから送信されるというインジケーションを前記ｅＮＢに送信するための手段と
を備える、請求項９に記載の装置。
【請求項１３】
コンピュータ上で実行されると、請求項１乃至７のいずれか１項のステップを実行する命令を備える、コンピュータプログラム。
【発明の詳細な説明】
【関連出願】
【０００１】
[0001]本特許出願は、本出願の譲受人に譲渡され、参照により本明細書に明確に組み込まれる、２０１３年１月２９日に出願された、「TDD Reconfiguration with Consideration of DTX/DRX」と題する、ＱＵＡＬＣＯＭＭ  Ｉｎｃｏｒｐｏｒａｔｅｄおよびその他の国際特許出願第ＰＣＴ／ＣＮ２０１３／０７１０７６号の優先権を主張する。
【背景技術】
【０００２】
[0002]以下は一般にワイヤレス通信に関し、より詳細には、再構成可能なデータ送信構成を有するワイヤレス通信システムにおける不連続受信および／または不連続送信に関する。ワイヤレス通信システムは、音声、ビデオ、パケットデータ、メッセージング、ブロードキャスト、等、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。さらに、いくつかのシステムは、アップリンク通信とダウンリンク通信の両方のために単一のキャリア周波数が使用される時分割複信（ＴＤＤ：time-division duplex）を使用して動作することができ、いくつかのシステムは、アップリンク通信とダウンリンク通信とのために別々のキャリア周波数が使用される周波数分割複信（ＦＤＤ：frequency-division duplex）を使用して動作することができる。
【０００３】
[0003]ＴＤＤを使用して動作するシステムでは、アップリンク通信とダウンリンク通信とが対称、非対称いずれかであり得る、異なるデータ送信フォーマットが使用され得る。ＴＤＤデータ送信フォーマットはデータのフレームの送信を含み、各フレームはいくつかの異なるサブフレームを含み、異なるサブフレームはアップリンクサブフレームまたはダウンリンクサブフレームとすることができる。システムのユーザに追加のアップリンクまたはダウンリンクデータ容量を与えるために、特定のシステムのデータトラフィックパターンに基づいてＴＤＤフォーマットの再構成が実施され得る。また、システムは不連続受信技法および／または不連続送信技法のような電力低減技法も利用することができ、その技法では、モバイルデバイスは、モバイルデバイスとワイヤレスネットワークとの間で大量のデータが送信されない期間中にワイヤレス送信／受信回路をオフに切り替えることができる。
【発明の概要】
【０００４】
[0004]記述される特徴は一般に、動的に再構成されるデータ送信フォーマットを有することができる時分割複信（ＴＤＤ）システムにおける不連続送信および／または不連続受信のための１つまたは複数の改善されたシステム、方法および／または装置に関連する。ｅＮＢとユーザ機器（ＵＥ）との間のＴＤＤ通信のための第１のアップリンク−ダウンリンク（ＵＬ−ＤＬ）構成が確立され得る。ｅＮＢとＵＥとの間のＴＤＤ通信のために用いられる初期ＵＬ−ＤＬ構成とすることができる第１のＵＬ−ＤＬ構成は、ｅＮＢと通信している１つまたは複数のＵＥのための第２のＵＬ−ＤＬ構成に再構成され得る。ＵＥが不連続受信（ＤＲＸ）モードに切り替わるとき、ＵＥは、ＤＲＸオン期間中にｅＮＢからの制御情報をモニタすることができ、ＤＲＸオン期間の頻度は、特定のＵＥのためのＵＬ−ＤＬ構成のいかなる再構成にも関係なく、基準ＵＬ−ＤＬ構成に基づく。いくつかの態様において、ＵＬ−ＤＬ再構成モードにおいて動作しているＵＥは、ＤＲＸモードに入ると、ＵＬ−ＤＬ再構成モードにおいて動作するのを中断する。
【０００５】
[0005]本開示のある態様では、ｅＮＢと時分割複信（ＴＤＤ）通信しているユーザ機器（ＵＥ）によって実行されるワイヤレス通信の方法が提供される。その方法は一般に、ｅＮＢとのＴＤＤ通信のための第１のアップリンク−ダウンリンク（ＵＬ−ＤＬ）構成を決定することと、ｅＮＢとのＴＤＤ通信のために使用されることになる第２のＵＬ−ＤＬ構成に第１のＵＬ−ＤＬ構成を変更する、再構成メッセージを受信することと、不連続受信（ＤＲＸ）モードに切り替わることと、ＤＲＸオン期間中にｅＮＢからの制御情報をモニタすることとを含み、ＤＲＸオン期間の頻度は、変更されたＵＬ−ＤＬ構成に関係なく、基準ＴＤＤ  ＵＬ−ＤＬ構成に基づく。その方法はさらに、いくつかの例において、ＤＲＸモードがアクティブであるときに、第１のＵＬ−ＤＬ構成に切り戻ることを含むことができ、第１のＵＬ−ＤＬ構成は、ｅＮＢとのＴＤＤ通信のために用いられる初期ＵＬ−ＤＬ構成とすることができる。いくつかの例では、その方法はさらに、ＤＲＸモードから切り替わることと、ｅＮＢとの通信のために使用されることになる新たなＵＬ−ＤＬ構成を決定することとをさらに含むことができる。新たなＵＬ−ＤＬ構成を決定することは、動的再構成モードに切り替わるインジケーションと、切り替えを開始するタイミングとをｅＮＢから受信することと、後続の無線フレームのための新たなＵＬ−ＤＬ構成を受信することとを含むことができる。動的再構成モードに切り替わるインジケーションと、切り替えを開始するタイミングとは、たとえば、レイヤ１（Ｌ１）シグナリング、媒体アクセス制御（ＭＡＣ）シグナリング、または無線リソース制御（ＲＲＣ）シグナリングのうちの１つまたは複数を介して受信され得る。
【０００６】
[0006]いくつかの例では、ＤＲＸモードから切り替わることは、ＤＲＸオン期間中にｅＮＢから制御情報を受信することを含むことができる。それに加えて、またはその代わりに、ＤＲＸモードから切り替わることは、データがｅＮＢに送信されることを決定することと、ＵＥからデータが送信されるというインジケーションをｅＮＢに送信することとを含むことができる。基準ＵＬ−ＤＬ構成は初期ＵＬ−ＤＬ構成とすることができ、たとえば、システム情報ブロックタイプ１（ＳＩＢ１）において受信され得る。他の例は、基準ＵＬ−ＤＬ構成は初期ＵＬ−ＤＬ構成とは異なる場合があり、ＵＥへの無線リソース制御メッセージにおいて受信され得る。
【０００７】
[0007]別の態様では、複数のＴＤＤ  ＵＬ−ＤＬ構成のうちの１つを使用して動作するように構成されるワイヤレス通信ＵＥ装置が提供される。その装置は一般に、ｅＮＢとのＴＤＤ通信のための第１のＵＬ−ＤＬ構成を決定するための手段と、ｅＮＢとのＴＤＤ通信のために使用されることになる第２のＵＬ−ＤＬ構成に第１のＵＬ−ＤＬ構成を変更する、再構成メッセージを受信するための手段と、ＤＲＸモードに切り替わるための手段と、ＤＲＸオン期間中にｅＮＢからの制御情報をモニタするための手段とを含み、ＤＲＸオン期間の頻度は、変更されたＵＬ−ＤＬ構成に関係なく、基準ＴＤＤ  ＵＬ−ＤＬ構成に基づく。いくつかの例では、その装置はさらに、ＤＲＸモードがアクティブであるときに、第１のＵＬ−ＤＬ構成に切り戻るための手段を含むことができ、第１のＵＬ−ＤＬ構成は、ｅＮＢとのＴＤＤ通信のために用いられる初期ＵＬ−ＤＬ構成とすることができる。他の例では、その装置はさらに、ＤＲＸモードから切り替わるための手段と、ｅＮＢとの通信のために使用されることになる新たなＵＬ−ＤＬ構成を決定するための手段とをさらに含むことができる。新たなＵＬ−ＤＬ構成を決定するための手段は、動的再構成モードに切り替わるインジケーションと、切り替えを開始するタイミングとをｅＮＢから受信するための手段と、後続の無線フレームのための新たなＵＬ−ＤＬ構成を受信するための手段とを含むことができる。ＤＲＸモードから切り替わるための手段は、いくつかの例では、ＤＲＸオン期間中にｅＮＢから制御情報を受信するための手段を含むことができる。他の例では、ＤＲＸモードから切り替わるための手段は、データがｅＮＢに送信されることを決定するための手段と、ＵＥからデータが送信されるというインジケーションをｅＮＢに送信するための手段とを含むことができる。
【０００８】
[0008]本開示の別の態様では、複数のＴＤＤ  ＵＬ−ＤＬ構成のうちの１つを使用して動作するように構成されるワイヤレス通信ＵＥ装置が提供される。本装置は一般に、少なくとも１つのプロセッサと、プロセッサに結合されるメモリとを含む。プロセッサは、ｅＮＢとのＴＤＤ通信のための第１のアップリンク−ダウンリンク（ＵＬ−ＤＬ）構成を決定し、ｅＮＢとのＴＤＤ通信のために使用されることになる第２のＵＬ−ＤＬ構成に第１のＵＬ−ＤＬ構成を変更する、再構成メッセージを受信し、ＤＲＸモードに切り替わり、ＤＲＸオン期間中にｅＮＢからの制御情報をモニタするように構成することができ、ＤＲＸオン期間の頻度は、変更されたＵＬ−ＤＬ構成に関係なく、基準ＴＤＤ  ＵＬ−ＤＬ構成に基づく。少なくとも１つのプロセッサは、いくつかの例では、ＤＲＸモードから切り替わり、ｅＮＢとの通信のために使用されることになる新たなＵＬ−ＤＬ構成を決定するようにさらに構成され得る。少なくとも１つのプロセッサは、さらなる例では、動的再構成モードに切り替わるインジケーションと、切り替えを開始するタイミングとをｅＮＢから受信し、後続の無線フレームのための新たなＵＬ−ＤＬ構成を受信するようにさらに構成され得る。
【０００９】
[0009]本開示の別の態様では、複数のＴＤＤ  ＵＬ−ＤＬ構成のうちの１つを使用して動作するように構成される、ＵＥによるワイヤレス通信のためのコンピュータプログラム製品が提供される。コンピュータプログラム製品は一般に非一時的コンピュータ可読媒体を含み、非一時的コンピュータ可読媒体は、ｅＮＢとのＴＤＤ通信のための第１のアップリンク−ダウンリンク（ＵＬ−ＤＬ）構成を決定するためのコードと、ｅＮＢとのＴＤＤ通信のために使用されることになる第２のＵＬ−ＤＬ構成に第１のＵＬ−ＤＬ構成を変更する、再構成メッセージを受信するためのコードと、不連続受信（ＤＲＸ）モードに切り替わるためのコードと、ＤＲＸオン期間中にｅＮＢからの制御情報をモニタするためのコードとを含み、ＤＲＸオン期間の頻度は、変更されたＵＬ−ＤＬ構成に関係なく、基準ＴＤＤ  ＵＬ−ＤＬ構成に基づく。コンピュータ可読媒体は、いくつかの例では、ＤＲＸモードから切り替わるためのコードと、ｅＮＢとの通信のために使用されることになる新たなＵＬ−ＤＬ構成を決定するためのコードとをさらに含むことができる。コンピュータ可読媒体は、他の例では、動的再構成モードに切り替わるインジケーションと、切り替えを開始するタイミングとをｅＮＢから受信するためのコードと、後続の無線フレームのための新たなＵＬ−ＤＬ構成を受信するためのコードとを含むこともできる。
【００１０】
[0010]本開示の別の態様では、ｅＮＢとＴＤＤ通信しているＵＥによって実行されるワイヤレス通信の方法が提供される。その方法は一般に、ｅＮＢとのＴＤＤ通信のために再構成されたＵＬ−ＤＬ構成を用いて動的ＴＤＤアップリンク−ダウンリンク（ＵＬ−ＤＬ）再構成モードに入ることと、再構成されたＵＬ−ＤＬ構成はＵＥとｅＮＢとの間の初期ＴＤＤ  ＵＬ−ＤＬ構成とは異なり、不連続受信（ＤＲＸ）モードに入るときに、動的ＴＤＤ  ＵＬ−ＤＬ再構成モードを中断することとを含む。いくつかの例では、動的ＴＤＤ  ＵＬ−ＤＬ再構成モードを中断することは、動的ＴＤＤ  ＵＬ−ＤＬ再構成モードを自律的に中断することを含むことができる。それに加えて、またはその代わりに、動的ＴＤＤ  ＵＬ−ＤＬ再構成モードを中断することは、ＤＲＸモードに入ることと、ＤＲＸオン期間中にｅＮＢからの制御情報をモニタすることとを含むことができ、ＤＲＸオン期間の頻度は、再構成されたＵＬ−ＤＬ構成に関係なく、基準ＴＤＤ  ＵＬ−ＤＬ構成に基づく。基準ＵＬ−ＤＬ構成は、いくつかの例では、初期ＴＤＤ  ＵＬ−ＤＬ構成とすることができる。
【００１１】
[0011]本開示の別の態様では、複数のＴＤＤ  ＵＬ−ＤＬ構成のうちの１つを使用して動作するように構成されるワイヤレス通信ＵＥ装置が提供される。その装置は一般に、ｅＮＢとのＴＤＤ通信のために再構成されたＵＬ−ＤＬ構成を用いて動的ＴＤＤアップリンク−ダウンリンク（ＵＬ−ＤＬ）再構成モードに入るための手段と、再構成されたＵＬ−ＤＬ構成はＵＥとｅＮＢとの間の初期ＴＤＤ  ＵＬ−ＤＬ構成とは異なり、ＤＲＸモードに入るときに、動的ＴＤＤ  ＵＬ−ＤＬ再構成モードを中断するための手段とを含む。動的ＴＤＤ  ＵＬ−ＤＬ再構成モードを中断するための手段は、たとえば、動的ＴＤＤ  ＵＬ−ＤＬ再構成モードを自律的に中断するための手段を含むことができる。動的ＴＤＤ  ＵＬ−ＤＬ再構成モードを中断するための手段は、いくつかの例では、ＤＲＸモードに入るための手段と、ＤＲＸオン期間中にｅＮＢからの制御情報をモニタするための手段とを含むことができ、ＤＲＸオン期間の頻度は、再構成されたＵＬ−ＤＬ構成に関係なく、基準ＴＤＤ  ＵＬ−ＤＬ構成に基づく。
【００１２】
[0012]本開示のさらに別の態様では、複数のＴＤＤ  ＵＬ−ＤＬ構成のうちの１つを用いて動作するように構成されるワイヤレス通信ＵＥ装置が提供される。本装置は一般に、少なくとも１つのプロセッサと、プロセッサに結合されるメモリとを含む。少なくとも１つのプロセッサは、ｅＮＢとのＴＤＤ通信のために再構成されたＵＬ−ＤＬ構成を用いて動的ＴＤＤアップリンク−ダウンリンク（ＵＬ−ＤＬ）再構成モードに入り、再構成されたＵＬ−ＤＬ構成はＵＥとｅＮＢとの間の初期ＴＤＤ  ＵＬ−ＤＬ構成とは異なり、ＵＥがＤＲＸモードに入るときに、動的ＴＤＤ  ＵＬ−ＤＬ再構成モードを中断するように構成され得る。少なくとも１つのプロセッサは、いくつかの例では、ＤＲＸモードに入り、ＤＲＸオン期間中にｅＮＢからの制御情報をモニタするようにさらに構成される場合があり、ＤＲＸオン期間の頻度は、再構成されたＵＬ−ＤＬ構成に関係なく、基準ＴＤＤ  ＵＬ−ＤＬ構成に基づく。
【００１３】
[0013]本開示の別の態様では、複数のＴＤＤ  ＵＬ−ＤＬ構成のうちの１つを使用して動作するように構成される、ＵＥによるワイヤレス通信のためのコンピュータプログラム製品が提供される。コンピュータプログラム製品は一般に非一時的コンピュータ可読媒体を含み、非一時的コンピュータ可読媒体は、ｅＮＢとのＴＤＤ通信のために再構成されたＵＬ−ＤＬ構成を用いて動的ＴＤＤ  ＵＬ−ＤＬ再構成モードに入るためのコードと、再構成されたＵＬ−ＤＬ構成はＵＥとｅＮＢとの間の初期ＴＤＤ  ＵＬ−ＤＬ構成とは異なり、ＵＥが不連続受信（ＤＲＸ）モードに入るときに、動的ＴＤＤ  ＵＬ−ＤＬ再構成モードを中断するためのコードとを含む。いくつかの例では、コンピュータ可読媒体は、ＤＲＸモードに入るためのコードと、ＤＲＸオン期間中にｅＮＢからの制御情報をモニタするためのコードとを含むこともでき、ＤＲＸオン期間の頻度は、再構成されたＵＬ−ＤＬ構成に関係なく、基準ＴＤＤ  ＵＬ−ＤＬ構成に基づく。
【００１４】
[0014]本開示のさらに別の態様は、ＵＥとＴＤＤ通信するｅＮＢによって実行されるワイヤレス通信の方法が提供される。その方法は一般に、ＵＥとのＴＤＤ通信のためのＵＬ−ＤＬ構成を決定することと、セルレベルＵＬトラフィック負荷およびＤＬトラフィック負荷に基づいて、ＵＥとのＴＤＤ通信のために使用されることになるＵＬ−ＤＬ構成を定期的に再構成することと、セルの再構成されたＵＬ−ＤＬ構成に関係なく基準ＴＤＤ  ＵＬ−ＤＬ構成に基づく不連続受信（ＤＲＸ）オン期間の頻度で、ＤＲＸオン期間中にＵＥに制御情報を送信することとを含む。いくつかの例では、その方法は、ＵＥがＤＲＸモードにあると決定することと、ＵＥがＤＲＸモードにあるとき、ＵＬ−ＤＬ構成の再構成を中断することとを含むこともできる。さらに、その方法は、いくつかの例では、ＵＥがＤＲＸモードから出るのを決定することと、ＵＥがＤＲＸモードから出るときに、ＵＥに対する動的ＵＬ−ＤＬ再構成をアクティベートすることと、使用されることになる新たなＵＬ−ＤＬ構成をＵＥに送信することとを含むこともできる。動的ＵＬ−ＤＬ再構成をアクティベートすることは、たとえば、ＵＥに送信されることになるデータの量に基づくことができる。新たなＵＬ−ＤＬ構成を送信することは、いくつかの例では、動的再構成モードに切り替えるインジケーションと、その切り替えを開始するタイミングとを送信することと、後続の無線フレームのための新たなＵＬ−ＤＬ構成を送信することとを含むことができる。動的再構成モードに切り替えるインジケーションおよびその切り替えを開始するタイミングは、たとえば、レイヤ１（Ｌ１）シグナリング、媒体アクセス制御（ＭＡＣ）シグナリング、または無線リソース制御（ＲＲＣ）シグナリングのうちの１つまたは複数を用いて送信され得る。いくつかの例では、ＵＥがＤＲＸモードから出ることを決定することは、ＵＥから受信された信号に基づくことができる。動的ＵＬ−ＤＬ再構成をアクティベートすることは、いくつかの例では、ＵＥから送信されることになるデータの量に基づくことができる。基準ＴＤＤ  ＵＬ−ＤＬ構成は初期ＵＬ−ＤＬ構成とすることができ、たとえば、システム情報ブロックタイプ１（ＳＩＢ１）において送信され得る。他の例では、基準ＵＬ−ＤＬ構成は初期ＵＬ−ＤＬ構成とは異なる場合があり、無線リソース制御メッセージにおいてＵＥに送信される場合がある。
【００１５】
[0015]別の態様では、ＵＥとＴＤＤ通信しているワイヤレス通信ｅＮＢ装置が提供される。その装置は一般に、ＵＥとのＴＤＤ通信のためのＵＬ−ＤＬ構成を決定するための手段と、セルレベルＵＬトラフィック負荷およびＤＬトラフィック負荷に基づいて、ＵＥとのＴＤＤ通信のために使用されることになるＵＬ−ＤＬ構成を定期的に再構成するための手段と、不連続受信（ＤＲＸ）オン期間中にＵＥに制御情報を送信するための手段とを含み、ＤＲＸオン期間の頻度は、セルの再構成されたＵＬ−ＤＬ構成に関係なく基準ＴＤＤ  ＵＬ−ＤＬ構成に基づく。いくつかの例では、その装置は、ＵＥがＤＲＸモードにあると決定するための手段と、ＵＥがＤＲＸモードにあるとき、ＵＬ−ＤＬ構成の再構成を中断するための手段とを含むこともできる。他の例では、その装置は、ＵＥがＤＲＸモードから出ることを決定するための手段と、ＵＥがＤＲＸモードから出るときに、ＵＥに対する動的ＵＬ−ＤＬ再構成をアクティベートするための手段と、使用されることになる新たなＵＬ−ＤＬ構成をＵＥに送信するための手段とを含むこともできる。新たなＵＬ−ＤＬ構成を送信するための手段は、いくつかの例では、動的再構成モードに切り替えるインジケーションと、その切り替えを開始するタイミングとを送信するための手段と、後続の無線フレームのための新たなＵＬ−ＤＬ構成を送信するための手段とを含むことができる。
【００１６】
[0016]本開示の別の態様では、ＵＥとＴＤＤ通信するワイヤレス通信ｅＮＢ装置が提供される。本装置は一般に、少なくとも１つのプロセッサと、プロセッサに結合されるメモリとを含む。少なくとも１つのプロセッサは、ＵＥとのＴＤＤ通信のためのアップリンク−ダウンリンク（ＵＬ−ＤＬ）構成を決定し、セルレベルＵＬトラフィック負荷およびＤＬトラフィック負荷に基づいて、ＵＥとのＴＤＤ通信のために使用されることになるＵＬ−ＤＬ構成を定期的に再構成し、不連続受信（ＤＲＸ）オン期間中にＵＥに制御情報を送信するように構成することができ、ＤＲＸオン期間の頻度は、セルの再構成されたＵＬ−ＤＬ構成に関係なく基準ＴＤＤ  ＵＬ−ＤＬ構成に基づく。いくつかの例では、プロセッサはさらに、ＵＥがＤＲＸモードから出ることを決定し、ＵＥがＤＲＸモードから出るときに、ＵＥに対する動的ＵＬ−ＤＬ再構成をアクティベートし、使用されることになる新たなＵＬ−ＤＬ構成をＵＥに送信するように構成され得る。少なくとも１つのプロセッサはさらに、たとえば、動的再構成モードに切り替えるインジケーションと、その切り替えを開始するタイミングとを送信するように構成され得る。
【００１７】
[0017]本開示の別の態様では、複数の同時ＴＤＤ  ＵＬ−ＤＬ構成のために構成されたｅＮＢによるワイヤレス通信のためのコンピュータプログラム製品が提供される。そのコンピュータプログラム製品は一般に非一時的コンピュータ可読媒体を含み、非一時的コンピュータ可読媒体は、ＵＥとのＴＤＤ通信のためのＵＬ−ＤＬ構成を決定するためのコードと、セルレベルＵＬトラフィック負荷およびＤＬトラフィック負荷に基づいて、ＵＥとのＴＤＤ通信のために使用されることになるＵＬ−ＤＬ構成を定期的に再構成するためのコードと、不連続受信（ＤＲＸ）オン期間中にＵＥに制御情報を送信するためのコードとを含み、ＤＲＸオン期間の頻度は、セルの再構成されたＵＬ−ＤＬ構成に関係なく基準ＴＤＤ  ＵＬ−ＤＬ構成に基づく。いくつかの例では、コンピュータ可読媒体は、また、ＵＥがＤＲＸモードから出ることを決定するためのコードと、ＵＥがＤＲＸモードから出るときに、ＵＥに対する動的ＵＬ−ＤＬ再構成をアクティベートするためのコードと、使用されることになる新たなＵＬ−ＤＬ構成をＵＥに送信するためのコードとを含む。また、コンピュータ可読媒体は、いくつかの例では、動的再構成モードに切り替えるインジケーションと、その切り替えを開始するタイミングとを送信するためのコードを含むこともできる。
【００１８】
[0018]説明される方法および装置の適用可能性のさらなる範囲は、以下の発明を実施するための形態、特許請求の範囲、および図面から明らかになろう。当業者には発明を実施するための形態の趣旨および範囲内の様々な変更および改変が明らかになるので、発明を実施するための形態および特定の例は、例示として与えられるものにすぎない。
【図面の簡単な説明】
【００１９】
[0019]以下の図面を参照することにより、本発明の性質および利点のさらなる理解が得られ得る。添付の図において、同様の構成要素または特徴は同じ参照ラベルを有し得る。さらに、同じタイプの様々な構成要素は、ダッシュによる参照ラベルと、それらの同様の構成要素同士を区別する第２のラベルとを見ることによって区別され得る。第１の参照ラベルのみが明細書において使用される場合、その説明は、第２の参照ラベルにかかわらず、同じ第１の参照ラベルを有する同様の構成要素のうちのいずれか１つに適用可能である。
【図１】種々の例による、ワイヤレス通信システムの一例を示す図。
【図２】種々の例による、例示的なワイヤレス通信システムにおけるＴＤＤアップリンク−ダウンリンク構成を示す表。
【図３】種々の例による、セルクラスタに従ってセルがグループ化されたシステムを示す図。
【図４】種々の例による、関連付けられるＤＲＸオンタイミングを有する異なるＵＬ−ＤＬ構成における例示的なＴＤＤフレームの図。
【図５】種々の例による、ＴＤＤ  ＵＬ−ＤＬ再構成と、ＤＲＸモードへの切り替えとの例示的なタイミングの図。
【図６】種々の例による、ＴＤＤ  ＵＬ−ＤＬ再構成と、ＤＲＸモードから再構成されたＵＬ−ＤＬ構成への切り替えとの例示的なタイミングの図。
【図７】種々の例による、ワイヤレス通信システムの一例と、ｅＮＢの一例のブロック図とを示す図。
【図８】種々の例による、ワイヤレス通信システムの一例と、ユーザ機器の一例のブロック図とを示す図。
【図９】種々の例による、ＤＲＸモジュールの一例のブロック図。
【図１０】種々の例による、ｅＮＢとＵＥとを含むワイヤレス通信システムの一例のブロック図。
【図１１】種々の例による、ＵＥをＤＲＸモードに切り替えるための方法のフローチャート。
【図１２】種々の例による、ＵＥをＤＲＸモードに切り替えるための別の方法のフローチャート。
【図１３】種々の例による、ＵＥをＤＲＸモードに切り替えるための別の方法のフローチャート。
【図１４】種々の例による、ｅＮＢにおけるＤＲＸ動作のための方法のフローチャート。
【図１５】種々の例による、ｅＮＢにおけるＤＲＸ動作のための別の方法のフローチャート。
【発明を実施するための形態】
【００２０】
[0035]本開示の種々の態様は、動的に再構成されるデータ送信フォーマットを有することができる時分割複信（ＴＤＤ）システムにおける不連続送信および／または不連続受信を提供する。ｅＮｏｄｅＢ（ｅＮＢ）とユーザ機器（ＵＥ）との間のＴＤＤ通信のための初期アップリンク−ダウンリンク（ＵＬ−ＤＬ）構成が確立され得る。この初期ＵＬ−ＤＬ構成は、ｅＮＢと通信する１つまたは複数のＵＥのための異なるＵＬ−ＤＬ構成に再構成され得る。ＵＥが不連続受信（ＤＲＸ）モードに切り替わるとき、ＵＥは、ＤＲＸオン期間中にｅＮＢからの制御情報をモニタすることができ、ＤＲＸオン期間の頻度は、特定のＵＥのためのＵＬ−ＤＬ構成のいかなる再構成にも関係なく、基準ＵＬ−ＤＬ構成に基づく。いくつかの態様において、ＵＬ−ＤＬ再構成モードにおいて動作しているＵＥは、ＤＲＸモードに入ると、ＵＬ−ＤＬ再構成モードにおいて動作するのを中断し得る。
【００２１】
[0036]本明細書において説明される技法は、セルラーワイヤレスシステム、ピアツーピアワイヤレス通信、ワイヤレスローカルアクセスネットワーク（ＷＬＡＮ）、アドホックネットワーク、衛星通信システム、および他のシステムなどの様々なワイヤレス通信システムのために使用され得る。「システム」および「ネットワーク」という用語は、しばしば互換的に使用される。これらのワイヤレス通信システムは、符号分割多重接続（ＣＤＭＡ）、時分割多重接続（ＴＤＭＡ）、周波数分割多重接続（ＦＤＭＡ）、直交ＦＤＭＡ（ＯＦＤＭＡ）、シングルキャリアＦＤＭＡ（ＳＣ−ＦＤＭＡ）、および／または他の無線技術など、様々な無線通信技術を利用することができる。一般に、ワイヤレス通信は、無線アクセス技術（ＲＡＴ）と呼ばれる１つまたは複数の無線通信技術の標準化された実施態様に従って行われる。無線アクセス技術を実施するワイヤレス通信システムまたはネットワークは無線アクセスネットワーク（ＲＡＮ）と呼ばれることがある。
【００２２】
[0037]ＣＤＭＡ技法を利用する無線アクセス技術の例は、ＣＤＭＡ２０００、ユニバーサル地上波無線アクセス（ＵＴＲＡ：Universal Terrestrial Radio Access）などを含む。ＣＤＭＡ２０００は、ＩＳ−２０００、ＩＳ−９５、ＩＳ−８５６の標準規格を含む。ＩＳ−２０００リリース０およびＡは、通例、ＣＤＭＡ２０００  １Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））と、ＣＤＭＡの他の変形形態とを含む。ＴＤＭＡシステムの例は、モバイル通信用グローバルシステム（ＧＳＭ（登録商標）：Global System for Mobile Communications）の種々の実施態様を含む。ＯＦＤＭおよび／またはＯＦＤＭＡを利用する無線アクセス技術の例は、ウルトラモバイルブロードバンド（ＵＭＢ：Ultra Mobile Broadband）、発展型ＵＴＲＡ（Ｅ−ＵＴＲＡ：Evolved UTRA）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどを含む。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と呼ばれる団体からの文書に記載されている。ＣＤＭＡ２０００およびＵＭＢは、「第３世代パートナーシッププロジェクト２」（３ＧＰＰ２：3rd Generation Partnership Project 2）と呼ばれる団体からの文書に記載されている。本明細書において説明される技法は、上記のシステムおよび無線技術、ならびに他のシステムおよび無線技術に使用され得る。
【００２３】
[0038]したがって、以下の説明は、例を与えるものであり、特許請求の範囲に記載された範囲、適用可能性、または構成を限定するものではない。本開示の趣旨および範囲から逸脱することなく、論じられる要素の機能および構成において変更が行われ得る。種々の例は、必要に応じて、種々の手順または構成要素を省略、置換、または追加することができる。たとえば、説明される方法は、説明される順序とは異なる順序で実行されてもよく、種々のステップが追加、省略、または組み合わせられてもよい。また、いくつかの例に関して説明される特徴は、他の例において組み合わせられ得る。
【００２４】
[0039]最初に図１を参照すると、図が、ワイヤレス通信システム１００の一例を示している。ワイヤレス通信システム１００は、ｅＮＢ（またはセル）１０５と、ユーザ機器（ＵＥ１１５）と、コアネットワーク１３０とを含む。ｅＮＢ１０５は、種々の例においてコアネットワーク１３０またはｅＮＢ１０５の一部であり得る基地局コントローラ（図示せず）の制御下で、通信リンク１２５を介してＵＥ１１５と通信することができる。ｅＮＢ１０５は、バックホールリンク１３２を通じてコアネットワーク１３０と制御情報および／またはユーザデータを通信することができる。バックホールリンク１３２は、有線バックホールリンク（たとえば、銅、ファイバーなど）および／またはワイヤレスバックホールリンク（たとえば、マイクロ波など）とすることができる。いくつかの例では、基地局１０５は、有線またはワイヤレス通信リンクであり得るバックホールリンク１３４を介して互いと直接または間接的に通信することができる。ワイヤレス通信システム１００は、複数のキャリア（異なる周波数の波形信号）上での動作をサポートすることができる。マルチキャリア送信機は、複数のキャリア上で同時に被変調信号を送信することができる。たとえば、各通信リンク１２５は、上記で説明された種々の無線技術に従って変調されたマルチキャリア信号とすることができる。各被変調信号は、異なるキャリア上で送られる場合があり、制御情報（たとえば、基準信号、制御チャネルなど）、オーバーヘッド情報、データなどを搬送することができる。
【００２５】
[0040]ｅＮＢ１０５は、１つまたは複数のｅＮＢアンテナを介してＵＥ１１５とワイヤレス通信することができる。ｅＮＢ１０５のサイトの各々は、それぞれのカバレージエリア１１０に通信カバレージを与えることができる。いくつかの例では、ｅＮＢ１０５は、基地局、トランシーバ基地局、無線基地局、アクセスポイント、無線トランシーバ、基本サービスセット（ＢＳＳ）、拡張サービスセット（ＥＳＳ）、ＮｏｄｅＢ、ホームＮｏｄｅＢ、または何らかの他の適切な用語で呼ばれることがある。ｅＮＢ１０５のためのカバレージエリア１１０は、カバレージエリアの一部分のみを構成するセクタ（図示せず）に分割され得る。ワイヤレス通信システム１００は、異なるタイプのｅＮＢ１０５（たとえば、マクロ基地局、マイクロ基地局、および／またはピコ基地局）を含むことができる。異なる技術のための重複するカバレージエリアが存在する場合がある。
【００２６】
[0041]ワイヤレス通信システム１００は同期動作または非同期動作をサポートすることができる。同期動作の場合、ｅＮＢ１０５は同様のフレームタイミングを有することができ、異なるｅＮＢ１０５からの送信が概ね時間的に合わせられ得る。非同期動作の場合、ｅＮＢ１０５は異なるフレームタイミングを有することができ、異なるｅＮＢ１０５からの送信は時間的に合わせられないことがある。例では、いくつかのｅＮＢ１０５は同期している場合あるが、他のｅＮＢは非同期である場合がある。
【００２７】
[0042]ＵＥ１１５はワイヤレス通信システム１００全体にわたって散在し、各デバイスは固定またはモバイルとすることができる。ＵＥ１１５は、当業者によって、移動局、加入者局、モバイルユニット、加入者ユニット、ワイヤレスユニット、リモートユニット、モバイルデバイス、ワイヤレスデバイス、通信デバイス、ワイヤレス通信デバイス、リモートデバイス、モバイル加入者局、アクセス端末、モバイル端末、ワイヤレス端末、リモート端末、ハンドセット、ユーザエージェント、ユーザ機器、モバイルクライアント、クライアント、または何らかの他の適切な用語で呼ばれることもある。ＵＥ１１５は、セルラー電話、携帯情報端末（ＰＤＡ）、ワイヤレスモデム、ハンドヘルドデバイス、タブレットコンピュータ、ラップトップコンピュータ、コードレス電話、ワイヤレスローカルループ（ＷＬＬ）局などとすることができる。ＵＥ１１５は、マクロｅＮＢ、ピコｅＮＢ、フェムトｅＮＢ、リレーｅＮＢなどと通信することもできる。
【００２８】
[0043]ワイヤレス通信システム１００において示される通信リンク１２５は、ＵＥ１１５からｅＮＢ１０５へのアップリンク（ＵＬ）送信および／またはｅＮＢ１０５からＵＥ１１５へのダウンリンク（ＤＬ）送信を含むことができる。ダウンリンク送信は順方向リンク送信と呼ばれることもあり、アップリンク送信は逆方向リンク送信と呼ばれることもある。いくつかの例では、通信リンク１２５は、トラフィックフレーム内の双方向トラフィックを搬送するＴＤＤキャリアである。
【００２９】
[0044]例では、ワイヤレス通信システム１００はＬＴＥ／ＬＴＥ−Ａネットワークとすることができる。ＬＴＥ／ＬＴＥ−Ａネットワークでは、ｅＮＢ１０５とデバイス１１５とを示すために、一般に、発展型ＮｏｄｅＢ（ｅＮＢ）とユーザ機器（ＵＥ）という用語がそれぞれ使用され得る。ワイヤレス通信システム１００は、異なるタイプのｅＮＢ１０５が種々の地理的領域にカバレージを与える、異種ＬＴＥ／ＬＴＥ−Ａネットワークとすることができる。たとえば、各ｅＮＢ１０５は、マクロセル、ピコセル、フェムトセル、および／または他のタイプのセルに通信カバレージを与えることができる。マクロセルは一般に、相対的に大きい地理的エリア（たとえば、半径数キロメートル）をカバーし、ネットワークプロバイダのサービスに加入しているＵＥ１１５による無制限のアクセスを許可することができる。ピコセルは一般に、相対的に小さい地理的エリアをカバーすることになり、ネットワークプロバイダのサービスに加入しているＵＥ１１５による無制限のアクセスを許可することができる。また、フェムトセルは一般に、相対的に小さい地理的エリア（たとえば、住宅）をカバーすることになり、無制限のアクセスに加えて、フェムトセルとの関連を有するＵＥ１１５（たとえば、クローズド加入者グループ（ＣＳＧ：closed subscriber group）中のＵＥ、その住宅内のユーザのためのＵＥなど）による制限付きアクセスも提供することができる。マクロセルのためのｅＮＢ１０５はマクロｅＮＢと呼ばれる場合がある。ピコセルのためのｅＮＢ１０５はピコｅＮＢと呼ばれる場合がある。そして、フェムトセルのためのｅＮＢ１０５はフェムトｅＮＢまたはホームｅＮＢと呼ばれる場合がある。ｅＮＢ１０５は、１つまたは複数の（たとえば、２つ、３つ、４つなどの）セルをサポートすることができる。
【００３０】
[0045]ＬＴＥ／ＬＴＥ−Ａネットワークアーキテクチャによるワイヤレス通信システム１００は、発展型パケットシステム（ＥＰＳ：Evolved Packet System）と呼ばれる場合がある。ワイヤレス通信システム１００は、１つまたは複数のＵＥ１１５と、発展型ＵＭＴＳ地上波無線アクセスネットワーク（Ｅ−ＵＴＲＡＮ：Evolved UMTS Terrestrial Radio Access Network）と、発展型パケットコア（ＥＰＣ：Evolved Packet Core）（たとえば、コアネットワーク１３０）と、ホーム加入者サーバ（ＨＳＳ：Home Subscriber Server）と、事業者のＩＰサービスとを含むことができる。ワイヤレス通信システム１００は、他の無線アクセス技術を使用して他のアクセスネットワークと相互接続することができる。たとえば、ワイヤレス通信システム１００は、１つまたは複数のサービングＧＰＲＳサポートノード（ＳＧＳＮ：Serving GPRS Support Node）を介してＵＴＲＡＮベースのネットワークおよび／またはＣＤＭＡベースのネットワークと相互接続することができる。ＵＥ１１５のモビリティおよび／または負荷分散をサポートするために、ワイヤレス通信システム１００は、ソースｅＮＢ１０５とターゲットｅＮＢ１０５との間のＵＥ１１５のハンドオーバをサポートすることができる。ワイヤレス通信システム１００は、同じＲＡＴのｅＮＢ１０５および／または基地局間（たとえば、他のＥ−ＵＴＲＡＮネットワーク）間のＲＡＴ内ハンドオーバと、異なるＲＡＴのｅＮＢ１０５および／または基地局間（たとえば、Ｅ−ＵＴＲＡＮからＣＤＭＡへ）のＲＡＴ間ハンドオーバとをサポートすることができる。ワイヤレス通信システム１００はパケット交換サービスを提供できるが、当業者が容易に認識するように、本開示全体にわたって提示される様々な概念は、回線交換サービスを提供するネットワークに拡張され得る。
【００３１】
[0046]Ｅ−ＵＴＲＡＮは、ｅＮＢ１０５を含むことができ、ＵＥ１１５に対してユーザプレーンプロトコル終端と制御プレーンプロトコル終端とを与えることができる。ｅＮＢ１０５は、バックホールリンク１３４（たとえば、Ｘ２インターフェース）を介して他のｅＮＢ１０５に接続され得る。ｅＮＢ１０５は、ＵＥ１１５にコアネットワーク１３０へのアクセスポイントを与えることができる。ｅＮＢ１０５は、バックホールリンク１３２（たとえば、Ｓ１インターフェース）によってコアネットワーク１３０に接続され得る。コアネットワーク１３０内の論理ノードは、１つまたは複数のモビリティ管理エンティティ（ＭＭＥ：Mobility Management Entity）と、１つまたは複数のサービングゲートウェイと、１つまたは複数のパケットデータネットワーク（ＰＤＮ：Packet Data Network）ゲートウェイ（図示せず）とを含むことができる。一般に、ＭＭＥはベアラと接続管理とを提供することができる。すべてのユーザＩＰパケットはサービングゲートウェイを通じて転送される場合があり、サービングゲートウェイ自体はＰＤＮゲートウェイに接続され得る。ＰＤＮゲートウェイはＩＰアドレス割振りならびに他の機能をＵＥに与えることができる。ＰＤＮゲートウェイはＩＰネットワークおよび／または事業者のＩＰサービスに接続され得る。これらの論理ノードは別々の物理ノードにおいて実現され得るか、または１つもしくは複数の論理ノードが単一の物理ノードにおいて組み合わせられ得る。ＩＰネットワーク／事業者のＩＰサービスは、インターネット、イントラネット、ＩＰマルチメディアサブシステム（ＩＭＳ：IP Multimedia Subsystem）、および／またはパケット交換（ＰＳ：Packet-Switched）ストリーミングサービス（ＰＳＳ：PS Streaming Service）を含むことができる。
【００３２】
[0047]ＵＥ１１５は、たとえば、多入力多出力（ＭＩＭＯ：Multiple Input Multiple Output）、多地点協調（ＣｏＭＰ：Coordinated Multi-Point）、または他の方式を通じて、複数のｅＮＢ１０５と協力して通信するために構成され得る。ＭＩＭＯ技法は、複数のデータストリームを送信するためにマルチパス環境を利用するために、ｅＮＢ１０５上の複数のアンテナおよび／またはＵＥ１１５上の複数のアンテナを使用する。ＣｏＭＰは、ＵＥ１１５のための全体的な送信品質を改善し、ならびにネットワークとスペクトル利用とを増加させるために、いくつかのｅＮＢ１０５による送信と受信とを動的に協調させるための技法を含む。一般に、ＣｏＭＰ技法は、ＵＥ１１５のための制御プレーン通信とユーザプレーン通信とを協調させるために、ｅＮＢ１０５間の通信のためにバックホールリンク１３２および／または１３４を利用する。
【００３３】
[0048]様々な開示される例のうちのいくつかに適応することができる通信ネットワークは、階層化プロトコルスタックに従って動作するパケットベースネットワークとすることができる。ユーザプレーンでは、ベアラまたはパケットデータコンバージェンスプロトコル（ＰＤＣＰ：Packet Data Convergence Protocol）レイヤにおける通信はＩＰベースとすることができる。無線リンク制御（ＲＬＣ：Radio Link Control）レイヤが、論理チャネルを介して通信するためにパケットセグメンテーションとリアセンブリとを実行することができる。媒体アクセス制御（ＭＡＣ：Medium Access Control）レイヤが、優先度処理と、トランスポートチャネルへの論理チャネルの多重化とを実行することができる。ＭＡＣレイヤはまた、リンク効率を改善するためにＭＡＣレイヤにおいて再送信を行うためにハイブリッドＡＲＱ（ＨＡＲＱ）も使用することができる。制御プレーンでは、無線リソース制御（ＲＲＣ）プロトコルレイヤは、ユーザプレーンデータのために使用される、ＵＥとネットワークとの間のＲＲＣ接続の確立と構成と保守とを提供することができる。制御プレーンプロトコルスタック内のＰＤＣＰレイヤは、暗号化と完全性保護とを実行することができる。ＲＬＣレイヤは、制御プレーンシグナリングを転送するために使用され得る。ＭＡＣレイヤは、論理チャネルデータの優先順位を付け、多重化する役割を果たすことができ、ＨＡＲＱプロトコルをサポートすることもできる。物理レイヤでは、ユーザプレーンおよび制御プレーンの両方において、トランスポートチャネルが物理チャネルにマッピングされ得る。
【００３４】
[0049]ＬＴＥ／ＬＴＥ−Ａネットワークは、ダウンリンク上では直交周波数分割多元接続（ＯＦＤＭＡ）を利用し、アップリンク上ではシングルキャリア周波数分割多元接続（ＳＣ−ＦＤＭＡ）を利用する。ＯＦＤＭＡおよびＳＣ−ＦＤＭＡは、システム帯域幅を、一般にトーン、ビンなどとも呼ばれる複数（Ｋ個）の直交サブキャリアに区分する。各サブキャリアはデータで変調され得る。隣接するサブキャリア間の間隔は固定することができ、サブキャリアの総数（Ｋ）はシステム帯域幅によって決まる場合がある。たとえば、Ｋは、１．４、３、５、１０、１５、または２０メガヘルツ（ＭＨｚ）の（ガード帯域を伴う）対応するシステム帯域幅の場合にそれぞれ、７２、１８０、３００、６００、９００、または１２００に等しくすることができ、サブキャリア間隔は１５キロヘルツ（ＫＨｚ）である。システム帯域幅はまた、サブ帯域に区分され得る。たとえば、サブ帯域は１．０８ＭＨｚをカバーすることができ、１、２、４、８または１６のサブ帯域があり得る。
【００３５】
[0050]ワイヤレス通信システム１００は、複数のキャリア上での動作をサポートすることができる。一般に、複数のキャリア上での動作は、単一で、より広帯域の信号の代わりに、サブキャリアと呼ばれる場合もある、複数の、より狭帯域の信号を送信することを伴う。ＬＴＥ／ＬＴＥ−Ａの場合、複数のキャリア上での動作はキャリアアグリゲーション（ＣＡ）またはマルチキャリア動作と呼ばれる場合もあり、その場合に、複数のキャリアが、送信のために統合され、まとめて使用される。キャリアは、コンポーネントキャリア（ＣＣ：component carrier）、チャネルなどと呼ばれることもある。「キャリア」、「ＣＣ」、および「チャネル」という用語は、本明細書では互換的に使用され得る。ダウンリンクのために使用されるキャリアはダウンリンクＣＣと呼ばれることがあり、アップリンクのために使用されるキャリアはアップリンクＣＣと呼ばれることがある。ＵＥ１１５は、キャリアアグリゲーションのために、複数のダウンリンクＣＣと１つまたは複数のアップリンクＣＣとで構成され得る。ｅＮＢ１０５は、１つまたは複数のダウンリンクＣＣ上でデータと制御情報とをＵＥ１１５に送信することができる。ＵＥ１１５は、１つまたは複数のアップリンクＣＣ上でデータと制御情報とをｅＮＢ１０５に送信することができる。
【００３６】
[0051]キャリアは、ＦＤＤ（たとえば、ペアのスペクトルリソース）、およびＴＤＤ（たとえば、ペアになっていないスペクトルリソース）システムにおいて双方向通信を送信することができる。ＴＤＤは、ペアになっていないスペクトルに対して規定される共通ＬＴＥ標準規格のモードであり、同じ周波数帯においてダウンリンク方向およびアップリンク方向の両方に送信が進行する。情報を送信するために、２つのシステムにおいて異なるフレーム構造が利用され得る。たとえば、ＦＤＤ送信のためにタイプ１フレーム構造が使用される場合があり、ＴＤＤ送信のためにタイプ２フレーム構造が使用される場合がある。ＴＤＤの場合、各フレーム構造は無線フレーム長Ｔf＝３０７２００・Ｔs＝１０ｍｓを有することができ、それぞれ長さ１５３６００・Ｔs＝５ｍｓの２つの半フレームを含むことができる。各半フレームは、長さ３０７２０・Ｔs＝１ｍｓの５つのサブフレームを含むことができる。
【００３７】
[0052]ＴＤＤフレーム構造の場合、各サブフレームは、ＵＬトラフィックまたはＤＬトラフィックを搬送する場合があるか、またはＤＬトラフィックおよび／またはＤＬトラフィックの一部を搬送する特殊サブフレーム（「Ｓ」）を含むことができ、ＤＬトラフィックとＵＬトラフィックとの間にガード期間（ＧＰ）を含む。特殊サブフレームは、ＤＬ送信からＵＬ送信に切り替えるために使用され得る。いくつかの態様では、ＵＬトラフィックからＤＬトラフィックへの切り替えは、特殊サブフレーム、またはＵＬサブフレームとＤＬサブフレームとの間のＧＰを使用せずに、ＵＥ１１５においてタイミングアドバンスを設定することによって達成され得る。無線フレーム内のＵＬサブフレームおよびＤＬサブフレームの割振りは、対称または非対称とすることができ、半静的に、または動的に再構成され得る（たとえば、バックホールを介して送信されるＲＲＣメッセージなどによる）。無線フレーム内のＵＬ、ＤＬおよび特殊サブフレームの種々の割振りを含む、いくつかの異なるフレームフォーマットＵＬ−ＤＬ構成が、ＴＤＤシステムによってサポートされる。種々のＵＬ−ＤＬ構成は、ＴＤＤ  ＤＬ−ＵＬ切り替えポイント周期性に従って分類される場合があり、切り替えポイント周期性は、特殊フレーム間の期間から決定される場合があり、フレーム周期（たとえば、１０ｍｓ）に等しいか、またはフレーム周期の半分（たとえば、５ｍｓ）である切り替えポイント周期性がシステムによってサポートされる。たとえば、ＴＤＤフレームは１つまたは複数の特殊フレームを含むことができ、特殊フレーム間の期間がフレームのためのＴＤＤ  ＤＬ−ＵＬ切り替えポイント周期性を決定することができる。ＬＴＥ／ＬＴＥ−Ａの場合、表２００において図２に示されているように、ＤＬサブフレームを４０％と９０％との間で与える７つの異なるＵＬ−ＤＬ構成が定義される。表２００に示されているように、種々のＵＬ−ＤＬ構成の場合に、２つの切り替え周期性、すなわち、５ｍｓおよび１０ｍｓがある。５ｍｓ切り替え周期性をもつ構成の場合は、フレームごとに２つの特殊サブフレームがあり、１０ｍｓ切り替え周期性をもつ構成の場合は、フレームごとに１つの特殊サブフレームがある。これらの構成のうちのいくつかは対称であり、同数のアップリンクスロットとダウンリンクスロットとを有するが、いくつかは非対称であり、異なる数のアップリンクスロットとダウンリンクスロットとを有する。たとえば、４つのアップリンクサブフレームと４つのダウンリンクサブフレームとをもつＴＤＤ  ＵＬ−ＤＬ構成１は対称であり、ＴＤＤ  ＵＬ−ＤＬ構成５はダウンリンクスループットに有利であり、ＴＤＤ  ＵＬ−ＤＬ構成０はアップリンクスループットに有利である。
【００３８】
[0053]ｅＮＢ１０５によって使用される特定のＴＤＤ  ＵＬ／ＤＬ構成は、特定のカバレージエリアについてのユーザ要件に基づくことができる。たとえば、再び図１を参照すると、カバレージエリア１１０中の相対的に多数のユーザが、ユーザが送信しているよりも多くのデータを受信している場合には、関連するｅＮＢ１０５のためのＴＤＤ  ＵＬ−ＤＬ構成は、ダウンリンクスループットに有利であるように選択される場合があり、ｅＮＢ１０５は、ＴＤＤ  ＵＬ−ＤＬ構成５を用いて動作することができる。同様に、カバレージエリア１１０中の相対的に多数のユーザが、ユーザが受信しているよりも多くのデータを送信している場合には、関連するｅＮＢ１０５のためのＵＬ−ＤＬ構成は、アップリンクスループットに有利であるように選択される場合があり、ｅＮＢ１０５は、ＵＬ−ＤＬ構成０を使用して動作することができる。いくつかの態様では、ｅＮＢ１０５は、フレームごとに、または数フレームの相対的に遅い時間スケールにおいて、ＴＤＤ  ＵＬ−ＤＬ構成を動的に再構成することができる。ＴＤＤ  ＵＬ−ＤＬ構成を動的に再構成するために、ｅＮＢ１０５は、ＵＥ１１５に再構成メッセージを送信することができる。応答して、ＵＥ１１５は、ＴＤＤ  ＵＬ−ＤＬ構成を再構成することができ、後続のＴＤＤフレームにおいて、新たなＵＬ−ＤＬ構成を用いてサブフレームを送信／受信することができる。異なるＵＬ−ＤＬ構成間を相対的に高速に切り替えることによって、ＵＥは、トラフィック挙動において観測される瞬時変化に対応できるようになり、ＵＥ１１５とｅＮＢ１０５との間の改善されたパケットスループットを提供することができる。たとえば、最初に初期ＴＤＤ  ＵＬ−ＤＬ構成を用いてｅＮＢ１０５と通信している場合があるＵＥ１１５は、初期ＴＤＤ  ＵＬ−ＤＬ構成が後の時点で効率的なパケットスループットにとって不都合になるとき、再構成され得る。たとえば、そのような状況は、最初に相対的に大量のデータを受信するユーザが相対的に大量のデータを送信することに切り替わるときに生じる場合がある。そのような状況下で、アップリンクとダウンリンクとの送信データ比が著しく変化する場合があり、結果として、以前に有利であったＴＤＤ  ＵＬ−ＤＬ構成が不利になることがある。
【００３９】
[0054]ワイヤレス通信システム１００においてデータを送信および／または受信するために、ＵＥ１１５は、ＲＲＣ＿ＣＯＮＮＥＣＴＥＤのような無線リソース制御（ＲＲＣ）接続状態にある場合がある。さらに、特定のデータ送信または動作を完了し、相対的に長い期間にわたってユーザデータを送信または受信するのを中断するＵＥ１１５は、依然としてＲＲＣ＿ＣＯＮＮＥＣＴＥＤ状態にある間に、不連続受信（ＤＲＸ）および／または不連続送信（ＤＴＸ）モードに入る場合がある。不連続送信によれば、あるチャネルを介しての受信機との通信が連続して行われるのではなく、間欠的に繰り返され得る。ＤＲＸ／ＤＴＸモードは、ユーザデータが送信／受信されない期間中にＵＥ１１５内の電力消費量を削減するために、使用可能にされ得る。本開示の種々の態様は、ＤＲＸモードを参照しながら説明されるが、類似の概念および技法がＤＴＸモードにおいても利用され得ることは容易に理解されよう。種々の態様において、ＤＲＸモードは、ＲＲＣ＿ＣＯＮＮＥＣＴＥＤ状態に加えて、ＲＲＣ＿ＩＤＬＥ状態においても使用可能にされ得る。ＲＲＣ＿ＩＤＬＥ状態では、ＵＥ１１５は、発展型パケットシステム（ＥＰＳ）モビリティ管理エンティティ（ＭＭＥ）で登録されるが、アクティブセッションを有しない。この状態では、ＵＥ１１５は、ダウンリンク（ＤＬ）トラフィックのためにページングされる場合があるか、またはサービングｅＮＢ１０５とのＲＲＣ接続を要求することによってアップリンク（ＵＬ）トラフィックを開始することができる。ＲＲＣ＿ＣＯＮＮＥＣＴＥＤ状態では、ＤＲＸモードは、たとえば、パケット到着プロセス中に使用可能にされ得る。１つの具体例では、ＤＲＸモードは、ＤＲＸ休止タイマの満了後に、ＲＲＣ＿ＣＯＮＮＥＣＴＥＤアクティブ状態から入れられ得る。ＤＲＸ休止タイマは、ＵＥ１１５のためのアップリンクまたはダウンリンクユーザデータ送信をインジケーションするＰＤＣＣＨを復号するのに成功した後に、ＵＥ１１５がその間にＰＤＣＣＨをモニタすることになる物理ダウンリンク制御チャネル（ＰＤＣＣＨ）サブフレームの数を指定することができる。
【００４０】
[0055]ＤＲＸモードにある間、ＵＥ１１５は、ＵＥ１１５に送信されることになるデータをモニタするために、ＤＲＸオン期間中にのみ種々の無線周波数受信／送信構成要素に電源を投入することができる。ＤＲＸモードでは、ＵＥは、所与のサブフレームにおいてＰＤＣＣＨをモニタしないことによって電力を節約することができる。ＤＲＸオン期間はオン持続時間タイマによって規定される場合があり、そのタイマは、ＵＥ１１５が、その間に取り得る割振りに関してＰＤＣＣＨをモニタすることになるＰＤＣＣＨサブフレームの数を指定することができる。ＴＤＤシステムでは、ＤＲＸオン期間に関連付けられるタイミングはＵＥ１１５が動作している特定のＴＤＤ  ＵＬ−ＤＬ構成によって決まるので、先に論じられたように、ＵＬ−ＤＬ構成を動的に再構成することは、ＤＲＸオン期間のタイミングに影響を及ぼす場合がある。種々の例によれば、新たなＵＬ−ＤＬ構成において動作するように動的に再構成されたＵＥ１１５は、基準ＴＤＤ  ＵＬ−ＤＬ構成に従って、ＤＲＸオン期間を確立することができる。ＤＲＸモードに切り替え、ＤＲＸオン期間のためのタイミングを確立するための種々の他の例が、以下でさらに詳細に説明されることになる。
【００４１】
[0056]図３は、ｅＮＢがセルクラスタ３２０に従ってグループ化されているワイヤレス通信システム３００を示す。ワイヤレス通信システム３００は、たとえば、図１に示されたワイヤレス通信システム１００の態様を示すことができる。セルクラスタ３２０は１つまたは複数のｅＮＢを含むことができ、セルクラスタ内のｅＮＢは様々なタイプ（たとえば、マクロｅＮＢ、ピコｅＮＢ、フェムトｅＮＢなど）とすることができる。図３の例に示されるように、ワイヤレス通信システム３００は、セルクラスタ３２０−ａ、３２０−ｂおよび３２０−ｃを含む。セルクラスタ３２０−ａはｅＮＢ１０５−ａおよびｅＮＢ１０５−ｂを含むことができ、セルクラスタ３２０−ｂは、ｅＮＢ１０５−ｃを含むことができ、セルクラスタ３２０−ｃは、ｅＮＢ１０５−ｄおよび１０５−ｅを含むことができる。セルクラスタ３２０は静的に、または半静的に規定される場合があり、セルクラスタ３２０内の各ｅＮＢ１０５は、そのクラスタの他のｅＮＢを認識している場合がある。セルクラスタ３２０−ａ、３２０−ｂ、および／または３２０−ｃはＴＤＤキャリアを展開することができ、各セルクラスタ内のＴＤＤ  ＵＬ−ＤＬ構成は同期され得る。
【００４２】
[0057]セルクラスタ３２０内の同期したＴＤＤ  ＵＬ−ＤＬ構成のためのトラフィック適応は、クラスタのセル間のＴＤＤ  ＵＬ−ＤＬ再構成の協調によって実行され得る。半静的な（たとえば、数十フレーム程度の）ＴＤＤ  ＵＬ−ＤＬ再構成は、（たとえば、Ｓ１および／またはＸ２インターフェースなどを介して）ｅＮＢ１０５の間での制御プレーンメッセージを交換することによって実行され得る。半静的なＴＤＤ  ＵＬ−ＤＬ再構成がいくつかの条件下で十分な性能を提供できる間に、クラスタ内のトラフィック条件が急速に変化するとき、半静的なＴＤＤ  ＵＬ−ＤＬ再構成の結果として、クラスタ内で用いられるＴＤＤキャリアのためのＵＬ−ＤＬサブフレームの割振りが最適でなくなる場合がある。いくつかの態様では、急速に変化するトラフィック条件は、特定のＵＥ１１５のためのＵＬ−ＤＬ構成を動的に再構成することによって適応され得る。動的な再構成は、制御チャネルシグナリングを通じてｅＮＢ１０５からＵＥ１１５に動的再構成メッセージを送信し、１つまたは複数の後続のＴＤＤフレームに対して再構成を適用することによって成し遂げられ得る。１つの具体例では、動的な再構成は、「拡張干渉管理およびトラフィック適応」（ｅＩＭＴＡ：enhanced Interference Management and Traffic Adaptation）に従って成し遂げられ得る。
【００４３】
[0058]ｅＩＭＴＡを実施するネットワークでは、ｅＩＭＴＡ準拠ＵＥが、そのＵＥのためのＵＬ−ＤＬ構成が変更されることになること、および／またはＴＤＤフレーム内のそれらの特定のサブフレームがアップリンクからダウンリンクサブフレームに切り替えられることになることをインジケーションする動的再構成メッセージを受信することができる。いくつかのネットワークでは、適応レートは、たとえば、１０ｍｓのように相対的に高速であり、したがって、いくつかの状況では、フレームごとにＴＤＤ  ＵＬ−ＤＬ構成を変更する能力を与えることができる。ｅＩＭＴＡに従って動作することが可能であるＵＥは、本明細書では非レガシーＵＥと呼ばれ、ｅＩＭＴＡに従って動作することが可能でないＵＥは、本明細書ではレガシーＵＥと呼ばれる。いくつかの状況では、ｅＮＢはレガシーＵＥと非レガシーＵＥの両方と通信している場合があるので、ＵＥとｅＮＢとの間のシグナリングによって、非レガシーＵＥを動的に再構成できるようにしながらも、レガシーＵＥが非レガシーＵＥとともに適切に動作できるようにすべきである。非レガシーＵＥであれば許可されることになっていたような、アップリンク（ＵＬ）サブフレームへの変更は、結果として、無線リソース管理（ＲＲＭ：Radio Resource Management）測定値および／または周期チャネル状態情報（ＣＳＩ：Channel State Information）を報告する問題が生じる場合があるので、レガシーＵＥをサポートするために、システム情報ブロックタイプ１（ＳＩＢ１）において示されるような、確立されたＴＤＤ  ＵＬ−ＤＬ構成におけるダウンリンク（ＤＬ）サブフレームは、アップリンク（ＵＬ）サブフレームに変更されない場合がある。しかしながら、ｅＩＭＴＡに従って動作するｅＮＢは、非レガシーＵＥにおいてＵＬサブフレームになるように再構成されるＤＬサブフレームを「隠す」ために、レガシーＵＥのためのスケジューリング情報を変更し、特定のアップリンクサブフレームに対してリソースを構成することができる。しかしながら、ＤＲＸオン期間のためのタイミングはＴＤＤ  ＵＬ−ＤＬ構成によって決まり、ｅＮＢと通信しているＵＥのための複数の異なるＴＤＤ構成が存在する場合があるので（すなわち、ＳＩＢ１においてブロードキャストされるＵＬ−ＤＬ構成、およびさらなるＲＲＣまたは制御チャネル（たとえば、Ｌ１）シグナリングにおいて１つまたは複数の非レガシーＵＥにシグナリングされるＵＬ−ＤＬ構成）、そのような状況では、ｅＮＢとＵＥとの間で、ＤＲＸオン期間のタイミングに関連する曖昧さが存在する場合もある。
【００４４】
[0059]図４は、異なるＵＬ−ＤＬ構成を有する複数のＴＤＤフレーム４００の一例を示す。先に論じられたように、ＤＲＸオン期間４２５、４３０、４３５、４４０中のダウンリンク受信のためのタイミングは、特定のＴＤＤ  ＵＬ−ＤＬ構成に従って決定される。したがって、再構成されたＵＥがＤＲＸモードに入る場合、ＤＲＸオン期間中のデータの受信タイミングは、ＵＬ−ＤＬ構成の再構成によって影響を及ぼされる場合がある。図４に示される例では、第１のフレーム４０５（フレームｎ）および第２のフレーム４１０（フレームｎ＋１）はそれぞれＴＤＤ  ＵＬ−ＤＬ構成２に従って送信され、第３のフレーム４１５（フレームｍ）および第４のフレーム４２０（フレームｍ＋１）はそれぞれＴＤＤ  ＵＬ−ＤＬ構成１に従って送信される。第１のフレーム４０５および第２のフレーム４１０は、ＴＤＤ  ＵＬ−ＤＬ構成２に従って動作しているＵＥに送信され得る。いくつかの例では、サービングｅＮＢは、ＳＩＢ１送信において、そのようなＵＥのためのＴＤＤ  ＵＬ−ＤＬ構成に関連する情報を送信することができる。さらに、いくつかの例では、非レガシーＵＥは、この構成を初期ＵＬ−ＤＬ構成として使用することができる。上記のように、いくつかの態様では、非レガシーＵＥは、異なるＴＤＤ  ＵＬ−ＤＬ構成に従って動作するように動的に再構成され得る。したがって、たとえば、ＴＤＤ  ＵＬ−ＤＬ構成２に従って最初にデータを送信／受信する非レガシーＵＥは、ＴＤＤ  ＵＬ−ＤＬ構成１に従って第３のフレーム４１５と第４のフレーム４２０とを送信／受信するように再構成され得る。その後、再構成されたＵＥは、必要に応じて、たとえば、ハイブリッド自動再送要求（ＨＡＲＱ）情報の送信タイミングを含む、ＴＤＤ  ＵＬ−ＤＬ構成１に従って情報を送信／受信する動作を実行することができる。
【００４５】
[0060]図４の例に示されるように、ＴＤＤ  ＵＬ−ＤＬ構成２に従って最初に動作しているＵＥは、サブフレーム１および３中にサービングｅＮＢからデータ送信を受信するために受信構成要素に電源を投入することができる。しかしながら、ＴＤＤ  ＵＬ−ＤＬ構成の再構成後に、ＴＤＤ  ＵＬ−ＤＬ構成１に従って動作しているＵＥは、サブフレーム１および４中にサービングｅＮＢからのデータ送信を受信するために受信構成要素に電源を投入することになる。ＴＤＤ  ＵＬ−ＤＬ構成２に従って動作しているＵＥとＴＤＤ  ＵＬ−ＤＬ構成１に従って動作しているＵＥとの間のＤＲＸ受信のタイミング間の不一致は、ＤＲＸオン期間中のデータの受信タイミングに影響を及ぼす場合がある。
【００４６】
[0061]種々の態様において、ｅＩＭＴＡ準拠ＵＥのためのＤＲＸモード動作において使用されることになるＤＲＸオン期間タイミングは、基準ＴＤＤ  ＵＬ−ＤＬ構成に基づいて決定され得る。たとえば、ＵＥは、ＤＲＸモードに切り替わる前にＵＥが動作していた場合があるＴＤＤ  ＵＬ−ＤＬ構成に関係なく、基準ＴＤＤ  ＵＬ−ＤＬ構成に基づいて決定されたＤＲＸオン期間を用いて、ＤＲＸモードに切り替わることができる。基準ＴＤＤ  ＵＬ−ＤＬ構成は、たとえば、サービングｅＮＢからのＳＩＢ１メッセージにおいて規定されるデフォルトＴＤＤ  ＵＬ−ＤＬ構成とすることができる。代替的には、基準ＴＤＤ  ＵＬ−ＤＬ構成は、ＵＥに送信されるＲＲＣシグナリングのような、他のシグナリングを通じてＵＥにシグナリングされる場合があり、したがって、基準ＴＤＤ  ＵＬ−ＤＬ構成は、ＳＩＢ１において規定される構成とは異なる場合がある。基準ＴＤＤ  ＵＬ−ＤＬ構成は、サービングｅＮＢおよび非レガシーＵＥの両方によって知られている場合があり、たとえば、ＤＲＸ休止タイマ、ＤＲＸオンタイマおよびＤＲＸ再送タイマのような、ＤＲＸタイマ持続時間を決定するために使用される場合がある。いくつかの例では、ＵＥがアクティブ状態からＤＲＸ状態に切り替わるとき、動的再構成が自律的に無効にされる場合があり、種々のＤＲＸタイマを確立するために、基準ＴＤＤ  ＵＬ−ＤＬ構成が使用される場合がある。
【００４７】
[0062]たとえば、図５を参照すると、アクティブ状態からＤＲＸ状態に切り替わるＵＥのための例示的なタイミング５００が示される。図５の例では、第１のマスター情報ブロック（ＭＩＢ）更新期間５０５および第２のＭＩＢ更新期間５１０が示される。種々の態様によれば、ＭＩＢ更新期間は、非レガシーＵＥのＴＤＤ  ＵＬ−ＤＬ構成の再構成のために使用され得る時間スケールを決定するために使用され得る。再構成時間スケールは、種々の例によれば、レイヤ１（Ｌ１）、ＲＲＣまたはブロードキャストシグナリングに従って、１０ｍｓ〜４０ｍｓ、２００ｍｓまたは６４０ｍｓのような異なるレートを有することができる。図５の例では、４０ｍｓ再構成時間スケールが使用され、ＴＤＤ  ＵＬ−ＤＬ構成の変更をＵＥに通知するためにＭＩＢが使用される。図５に示されるように、第１のＴＤＤ  ＵＬ−ＤＬ構成が第１のＭＩＢ更新期間５０５において用いられる場合があり、その構成は、第２のＭＩＢ更新期間５１０中に第２のＴＤＤ  ＵＬ−ＤＬ構成に更新される場合がある。第１のＭＩＢ更新期間５０５中に送信されるＭＩＢ５１５は、第１のＴＤＤ  ＵＬ−ＤＬ構成から第２のＴＤＤ  ＵＬ−ＤＬ構成への変更をＵＥに通知するために使用され得る。さらに、第２のＴＤＤ  ＵＬ−ＤＬ構成から第３のＴＤＤ  ＵＬ−ＤＬ構成への変更は、第２のＭＩＢ更新期間５１０中に送信されるＭＩＢ５２０において示され得る。ＲＲＣ＿ＣＯＮＮＥＣＴＥＤアクティブ状態５３５において動作している間に、ＵＥは、第１のＭＩＢ更新期間５０５中にデータパケット５２５を送信／受信することができる。ＤＲＸ休止タイマの満了後に、ＵＥは、ＲＲＣ＿ＣＯＮＮＥＣＴＥＤ  ＤＴＸ／ＤＲＸモード（ＤＲＸモード）５４０に切り替わることができる。図５の例では、ＵＥは、第１のＭＩＢ更新期間５０５中にこのＤＲＸモードに入ることができる。このようにして、この例では、ＵＥは、ＤＲＸモード５４０に入る前に、第１のＴＤＤ  ＵＬ−ＤＬ構成に従って動作している。しかしながら、ＵＥは、ＤＲＸモードに入るときに、ＴＤＤ  ＵＬ−ＤＬ構成から第２のＴＤＤ  ＵＬ−ＤＬ構成への次回の再構成を認識していない。先に論じられたように、ＤＲＸタイマに対する曖昧さを避けるために、ＵＥは、ＵＥがＤＲＸモードにあるときのＤＲＸタイマ持続時間を決定するために、基準ＴＤＤ  ＵＬ−ＤＬ構成を用いる。図５の例では、ＤＲＸオン時間５３０は、したがって、第１のＴＤＤ  ＵＬ−ＤＬ構成または第２のＴＤＤ  ＵＬ−ＤＬ構成に関係なく、基準ＴＤＤ  ＵＬ−ＤＬ構成に従って決定される。いくつかの態様によれば、ＴＤＤ  ＵＬ−ＤＬ構成の動的な再構成は、ＵＥがＤＲＸモードに入るときに、自動的に無効にされる。
【００４８】
[0063]ＤＲＸモードから出るとき、ＵＥは、いくつかの例では、ＳＩＢ１においてシグナリングされたデフォルトまたは初期ＴＤＤ  ＵＬ−ＤＬ構成においてアクティブ状態に戻ることができる。他の例では、ＵＥは、たとえば、再構成インジケーションを受信するためにＬ１シグナリングを定期的にモニタすることによって、目覚め（wake up）、アクティブ状態に戻り、動的構成モードに切り替わることができる。動的再構成モードへの切り替えは、デフォルトＵＬ−ＤＬ構成が、交換されることになる特定のデータにとって最適でない場合に、必要とされる場合がある。たとえば、ＵＥに対して送信されることになるかなりの量のダウンリンクデータが存在する場合には、付加的なダウンリンクサブフレームを有するＴＤＤ  ＵＬ−ＤＬ構成が選択され得る。サービングｅＮＢは、これが効率的であると決定し、変更されたＴＤＤ  ＵＬ−ＤＬ構成に従って動作するために、動的構成モードに入るようにＵＥにシグナリングすることができる。ＵＥが送信されることになるアップリンクデータを有する場合には、ＵＥは、サービングｅＮＢに、動的再構成モードへの切り替え要求を送信することができる。サービングｅＮＢは、その要求に対する送達確認時に、その後、動的構成モードに入るようにＵＥにシグナリングすることができる。相対的に少ない量のデータが交換されることになる場合には、基準またはデフォルトＴＤＤ  ＵＬ−ＤＬ構成が十分なデータ送信帯域幅を与えることができるので、そのような構成を使用することに決定され得る。
【００４９】
[0064]ここで図６を参照すると、ＤＲＸモードからアクティブモードに切り替わるＵＥのための例示的なタイミング６００が示される。図６の例では、図５を参照しながら説明されたものに類似である第１のＭＩＢ更新期間６０５および第２のＭＩＢ更新期間６１０が示される。ＭＩＢ更新期間は、先に論じられたように、非レガシーＵＥのＴＤＤ  ＵＬ−ＤＬ構成の再構成のために使用され得る時間スケールを決定することができる。図６の例では、第１のＭＩＢ更新期間６０５において第１のＴＤＤ  ＵＬ−ＤＬ構成が使用される場合があり、その構成は、第２のＭＩＢ更新期間６１０中に第２のＴＤＤ  ＵＬ−ＤＬ構成に更新される場合がある。第１のＭＩＢ更新期間６０５中に送信されるＭＩＢ６１５は、第１のＴＤＤ  ＵＬ−ＤＬ構成から第２のＴＤＤ  ＵＬ−ＤＬ構成への変更をＵＥに通知するために使用され得る。さらに、第２のＴＤＤ  ＵＬ−ＤＬ構成から第３のＴＤＤ  ＵＬ−ＤＬ構成への変更は、第２のＭＩＢ更新期間６１０中に送信されるＭＩＢ６２０において示され得る。図示される例では、ＵＥは、第１のＭＩＢ更新期間６０５の初期部分中に、ＲＲＣ＿ＣＯＮＮＥＣＴＥＤ  ＤＴＸ／ＤＲＸモード６６０（ＤＲＸモードとも呼ばれる）にある。ＤＲＸモードにある間、ＵＥは、ＤＲＸサイクル６２５およびＤＲＸオン時間６３０に関連付けられる種々のタイマを設定するために、先に論じられたのと同じようにして、ＴＤＤ  ＵＬ−ＤＬ基準構成Ａ６４５に従って動作することができる。ＤＲＸサイクル６２５中に、ＵＥは、ＵＥがｅＮＢとデータを交換し始めるための許可があるか否かを決定するために、ＤＲＸオン時間６３０中にＰＤＣＣＨをモニタする。図６の例では、ＰＤＣＣＨ許可６３５がＵＥに送信され、その後、ＵＥとサービングｅＮＢとの間でデータパケット６４０が交換される。
【００５０】
[0065]最初に、ＵＥがＲＲＣ＿ＣＯＮＮＥＣＴＥＤ  ＤＴＸ／ＤＲＸモード６６０を出て、ＲＲＣ＿ＣＯＮＮＥＣＴＥＤアクティブモード６６５に入るとき、ＵＥはＴＤＤ  ＵＬ−ＤＬ基準構成Ａ６４５において動作し続ける。期間６５５中に、ＵＥは、たとえば、Ｌ１シグナリングから再構成インジケーションを受信し、第２のＭＩＢ更新期間６１０中にＴＤＤ  ＵＬ−ＤＬ構成Ｂ６５０に切り替わることができる。いくつかの例では、ＰＤＣＣＨ許可６３５は、動的再構成が使用可能にされることをＵＥに示す付加情報を含むことができ、動的再構成を開始するタイミングも含むことができる。いくつかの例によれば、ダウンリンクデータ到着の場合、ＵＥは、ＰＤＣＣＨ許可６３５とともに含まれる２つの付加ビットを通じて、動的再構成モードに切り替わるようにシグナリングされ得る。２つのビットのうちの第１のビットは、動的再構成が使用可能にされることをＵＥに示すことができ、２つのビットのうちの第２のビットは、切り替えが開始されることになる時点を示すために使用され得る。第２のビットは、アクティベーションタイマを開始するために使用される場合があり、そのタイマの満了時に、ＵＥが新たなＴＤＤ  ＵＬ−ＤＬ構成に変更することができる。いくつかの例では、変更されたＴＤＤ  ＵＬ−ＤＬ構成は、次のＭＩＢ更新期間（たとえば、第２のＭＩＢ更新期間６１０）の開始時に、または次のＭＩＢ更新期間後のＭＩＢ更新期間（第２のＭＩＢ更新期間６１０後のＭＩＢ更新期間）の開始時に、開始され得る。
【００５１】
[0066]アクティベーションタイマビットのために使用する値を決定するとき、サービングｅＮＢは、ＵＥが、ＭＩＢ６１５のような、Ｌ１シグナリングから構成情報を正確に復号するために一定の長さの時間を必要とすると仮定することができる。ＰＤＣＣＨ許可６３５と、後続のＭＩＢ更新期間の開始との間の時間期間が、ＵＥが構成情報を復号するのに必要とされる時間より短い場合には、後続のＭＩＢ更新期間６１０後のＭＩＢ更新期間においてＵＥがＵＬ−ＤＬ構成を切り替えることを示すために、第２のビットが設定され得る。いくつかの例では、動的再構成モードへの切り替えを開始する時点を決定するとき、ＵＥが新たな構成を正確に復号するのを確実にできるようにする時間を決定するために、ＵＥが新たな構成を正確に復号する信頼性が、切り替えのための待ち時間とのバランスをとられる場合がある。ＵＥから送信されることになるアップリンクデータの場合、ＵＥは、スケジューリング要求（ＳＲ）をｅＮＢに送信することによって、動的再構成モードへの切り替えを要求することができる。応答して、ｅＮＢはＰＤＣＣＨ許可６３５によってその要求に応答し、動的再構成モードへの切り替えを可能にするためのさらなるシグナリングを送信することができる。いくつかの例では、動的再構成モードへの切り替えのためのシグナリング、および切り替えを開始する時点は、たとえば、Ｌ１シグナリング、ＭＡＣ制御要素またはＲＲＣシグナリングのような任意の適切なシグナリング機構を通じてシグナリングされ得る。初期再構成後に、さらなる再構成メッセージが、たとえば、ＭＩＢ６１５または６２０において情報を送信することなどの、動的再構成のために確立された手順に従って送信され得る。
【００５２】
[0067]図７は、ＴＤＤ  ＵＬ−ＤＬ再構成およびＤＲＸのために構成され得るワイヤレス通信システム７００のブロック図を示す。ワイヤレス通信システム７００は、図１に示されたワイヤレス通信システム１００、または図３のワイヤレス通信システム３００の態様の一例であり得る。ワイヤレス通信システム７００はｅＮＢ１０５−ｆを含むことができる。ｅＮＢ１０５−ｆは、アンテナ７４５と、トランシーバモジュール７５０と、メモリ７７０と、プロセッサモジュール７６０とを含むことができ、それぞれ、（たとえば、１つまたは複数のバス７８０を介して）互いに直接または間接的に通信することができる。トランシーバモジュール７５０は、アンテナ７４５を介して、ＵＥ１１５−ａ、１１５−ｂと双方向通信するように構成され得る。また、トランシーバモジュール７５０（および／またはｅＮＢ１０５−ｆの他の構成要素）は、１つまたは複数のネットワークと双方向通信するように構成され得る。場合によっては、ｅＮＢ１０５−ｆは、ネットワーク通信モジュール７６５を通じてコアネットワーク１３０−ａと通信することができる。ｅＮＢ１０５−ｆは、ｅＮｏｄｅＢ基地局、ホームｅＮｏｄｅＢ基地局、ＮｏｄｅＢ基地局、および／またはホームＮｏｄｅＢ基地局の一例とすることができる。
【００５３】
[0068]ｅＮＢ１０５−ｆは、ｅＮＢ１０５−ｍおよびｅＮＢ１０５−ｎのような他のｅＮＢ１０５とも通信することができる。場合によっては、ｅＮＢ１０５−ｆは、基地局通信モジュール７１５を利用して、１０５−ｍおよび／または１０５−ｎのような他のｅＮＢと通信することができる。いくつかの例では、基地局通信モジュール７１５は、ｅＮＢ１０５のうちのいくつかのｅＮＢ間の通信を提供するために、ＬＴＥワイヤレス通信技術内のＸ２インターフェースを与えることができる。いくつかの例では、ｅＮＢ１０５−ｆは、コアネットワーク１３０−ａを通じて他のｅＮＢと通信することができる。
【００５４】
[0069]メモリ７７０は、ランダムアクセスメモリ（ＲＡＭ）と読取り専用メモリ（ＲＯＭ）とを含むことができる。メモリ７７０はまた、実行されるときに、プロセッサモジュール７６０に本明細書で説明される様々な機能（たとえば、呼処理、データベース管理、メッセージルーティングなど）を実行させるように構成される命令を含むコンピュータ可読、コンピュータ実行可能ソフトウェアコード７７５を記憶することができる。代替的には、コンピュータ実行可能ソフトウェアコード７７５は、プロセッサモジュール７６０によって直接的に実行可能でないことがあるが、たとえば、コンパイルされ実行されるときに、プロセッサに本明細書で説明される機能を実行させるように構成され得る。
【００５５】
[0070]プロセッサモジュール７６０は、インテリジェントハードウェアデバイス、たとえば、中央処理ユニット（ＣＰＵ）、マイクロコントローラ、特定用途向け集積回路（ＡＳＩＣ）などを含むことができる。（１つまたは複数の）トランシーバモジュール７５０は、パケットを変調し、変調されたパケットを送信のために（１つまたは複数の）アンテナ７４５に与え、（１つまたは複数の）アンテナ７４５から受信されたパケットを復調するように構成されるモデムを含むことができる。ｅＮＢ１０５−ｆのいくつかの例は単一のアンテナ７４５を含むことができるが、ｅＮＢ１０５−ｆは、キャリアアグリゲーションをサポートすることができる複数のリンクのための複数のアンテナ７４５を含むことができる。たとえば、ＵＥ１１５−ａ、１１５−ｂとのマクロ通信をサポートするために１つまたは複数のリンクが使用され得る。
【００５６】
[0071]図７のアーキテクチャによれば、ｅＮＢ１０５−ｆは通信管理モジュール７４０をさらに含むことができる。通信管理モジュール７４０は、他のｅＮＢ１０５との通信を管理することができる。例として、通信管理モジュール７４０は、バス７８０を介してｅＮＢ１０５−ｆの他の構成要素の一部または全部と通信しているｅＮＢ１０５−ｆの構成要素とすることができる。代替的には、通信管理モジュール７４０の機能は、トランシーバモジュール７５０の構成要素として、コンピュータプログラム製品として、および／またはプロセッサモジュール７６０の１つもしくは複数のコントローラ要素として実現され得る。
【００５７】
[0072]いくつかの例では、アンテナ７４５に結合されたトランシーバモジュール７５０は、ｅＮＢ１０５−ｆの他の取り得る構成要素とともに、ｅＮＢ１０５−ｆと通信している種々のＵＥのためのＴＤＤ  ＵＬ−ＤＬ構成を決定し、また、ＤＲＸモード動作のために使用されることになる基準ＴＤＤ  ＵＬ−ＤＬ構成も決定することができる。いくつかの例では、ｅＮＢ１０５−ｆは、ＵＥ１１５−ａ、１１５−ｂのためのＴＤＤ  ＵＬ−ＤＬ構成を決定するＴＤＤ  ＵＬ−ＤＬ構成選択モジュール７２０を含む。先に論じられたように、いくつかの態様では、異なるＵＥ１１５−ａ、１１５−ｂはレガシーＵＥと非レガシーＵＥとを含むことができ、ＴＤＤ  ＵＬ−ＤＬ構成選択モジュール７２０はレガシーＵＥと非レガシーＵＥの両方のためのＵＬ−ＤＬ構成を決定することができる。図７の例では、ＵＥ１１５−ａはレガシーＵＥとすることができ、ＵＥ１１５−ｂは非レガシーＵＥとすることができる。レガシーＵＥ１１５−ａの場合、ＴＤＤ  ＵＬ−ＤＬ構成はＳＩＢ１を用いて送信され得る。同様に、非レガシーＵＥ１１５−ｂのための初期ＴＤＤ  ＵＬ−ＤＬ構成はＳＩＢ１を用いて送信され得る。初期ＴＤＤ構成は、いくつかの例において、ＤＲＸモード動作のための基準またはデフォルトＴＤＤ  ＵＬ−ＤＬ構成として使用され得る。他の例では、ＵＥにおいてＤＲＸモード動作のために使用されることになる別の基準ＴＤＤ  ＵＬ−ＤＬ構成が非レガシーＵＥ１１５−ｂに送信され得る。
【００５８】
[0073]ある時点で、ＴＤＤ  ＵＬ−ＤＬ構成選択モジュール７２０は、非レガシーＵＥ１１５−ｂのためのＵＬ−ＤＬ構成が異なるＵＬ−ＤＬ構成に再構成されるべきであると決定することができる。たとえば、ｅＮＢ１０５−ｆと非レガシーＵＥ１１５−ｂとの間のトラフィック条件の変化が、追加のデータが非レガシーＵＥ１１５−ｂに送信されるべきであるように変化する場合があり、その場合、ＴＤＤ  ＵＬ−ＤＬ構成選択モジュール７２０は、非レガシーＵＥ１１５−ｂが、異なるＵＬ−ＤＬ構成に従って動作するように再構成されるべきであると決定することができる。ｅＮＢ１０５−ｆは、トランシーバモジュール７５０とともに、ＴＤＤ  ＵＬ−ＤＬ構成送信モジュール７２５を通じて、非レガシーＵＥ１１５−ｆに新たなＴＤＤ  ＵＬ−ＤＬ構成を送信することができる。ＴＤＤ  ＵＬ−ＤＬ構成選択モジュール７２０はまた、レガシーＵＥ１１５−ａのためのＴＤＤ  ＵＬ−ＤＬ構成が変更されるべきであると定期的に決定することができ、その場合、更新されたＳＩＢ１ブロックが、トランシーバモジュール７５０とともに、ＴＤＤ  ＵＬ−ＤＬ構成送信モジュール７２５を用いて送信され得る。
【００５９】
[0074]先に言及されたように、種々の態様によれば、更新期間が、非レガシーＵＥのＴＤＤ  ＵＬ−ＤＬ構成の再構成のために使用され得る時間スケールを決定することができる。たとえば、第１のＴＤＤ  ＵＬ−ＤＬ構成が第１の更新期間において使用される場合があり、その構成は、第２のＭＩＢ更新期間中に第２のＴＤＤ  ＵＬ−ＤＬ構成に更新される場合がある。ＤＲＸ休止タイマの満了後にＵＥ１１５−ａおよび１１５−ｂがＤＲＸモードに切り替わるとき、ＤＲＸタイマ持続時間を決定するために基準ＴＤＤ  ＵＬ−ＤＬ構成が使用されるべきであると非レガシーＵＥ１１５−ｂに示すために、ＤＲＸモジュール７３０が使用され得る。一例では、ＤＲＸモジュールは、ＳＩＢ１において送信される初期ＴＤＤ  ＵＬ−ＤＬ構成になるように基準ＴＤＤ  ＵＬ−ＤＬ構成を選択することができる。代替的には、ＤＲＸモジュールは、任意の別の構成になるように基準ＴＤＤ  ＵＬ−ＤＬ構成を選択することができる。ｅＮＢ１０５−ｆは基準ＴＤＤ  ＵＬ−ＤＬ構成を、トランシーバモジュール７５０とともにＤＲＸモジュール７３０を通じて、非レガシーＵＥ１１５−ｆに送信することができる。
【００６０】
[0075]ＤＲＸモードから出るとき、ＵＥ１１５−ｂは、いくつかの例では、ＳＩＢ１においてシグナリングされたデフォルトＴＤＤ  ＵＬ−ＤＬ構成においてアクティブ状態に戻ることができる。他の例では、たとえば、再構成インジケーションを受信するためにＬ１シグナリングを定期的にモニタすることによって、ＵＥ１１５−ｂは目覚め、アクティブ状態に戻り、動的構成モードに切り替わることができる。動的再構成モードへの切り替えは、デフォルトＵＬ−ＤＬ構成が、交換されることになる特定のデータにとって最適でない場合に、必要とされる場合がある。そのような場合、ＴＤＤ  ＵＬ−ＤＬ構成選択モジュール７２０は、ＵＥ１１５−ｂによって使用されることになる新たなＴＤＤ  ＵＬ−ＤＬ構成を決定することができる。ＴＤＤ  ＵＬ−ＤＬ再構成開始時間モジュール７３５は、ＵＥ１１５−ｂが新たなＵＬ−ＤＬ構成の使用を開始する開始時間を決定することができる。いくつかの例では、ＴＤＤ  ＵＬ−ＤＬ再構成開始時間モジュール７３５は、ＵＥ１１５−ｂが、Ｌ１シグナリング（たとえば、送信されるＭＩＢ）から構成情報を正確に復号するのにある長さの時間を必要とすると仮定することができる。したがって、再構成インジケーションと、後続の更新期間の開始との間の時間期間が、ＵＥ１１５−ｂが再構成情報を復号するのに必要とされる時間より短い場合、ＴＤＤ  ＵＬ−ＤＬ再構成開始時間モジュール７３５は、後続の更新期間後の更新期間内にＵＬ−ＤＬ構成を切り替えるインジケーションを送信することができる。いくつかの例では、動的再構成モードへの切り替えを開始する時点を決定するとき、ＵＥ１１５−ｂが新たな構成を正確に復号するのを確実にできるようにする時間を決定するために、ＵＥ１１５−ｂが新たな構成を正確に復号する信頼性が、切り替えのための待ち時間とのバランスをとられる場合がある。
【００６１】
[0076]いくつかの例によれば、ｅＮＢ１０５−ｆが、ＵＥ１１５−ｂに関連付けられるＴＤＤ  ＵＬ−ＤＬ構成と再構成とを決定することができる。ｅＮＢ１０５−ｆは、ＵＥ１１５−ｂがＤＲＸモードにおいて使用すべき基準ＴＤＤ  ＵＬ−ＤＬ構成を決定することもできる。さらに、ｅＮＢ１０５−ｆは、再構成情報と基準ＴＤＤ  ＵＬ−ＤＬ構成情報とをＵＥ１１５−ｂに送信することができる。ＵＥ１１５−ｂは、ｅＮＢ１０５−ｆから情報を受信すると、新たなＴＤＤ  ＵＬ−ＤＬ構成に切り替わり、ＤＲＸモードに入るときに、基準ＴＤＤ  ＵＬ−ＤＬ構成に切り替わることができる。いくつかの例では、ＵＥ１１５−ｂは、ＤＲＸモードに入るときに、動的再構成モードから自律的に切り替わることができる。ここで、図８を参照すると、基準ＴＤＤ  ＵＬ−ＤＬ構成を用いてＴＤＤ  ＵＬ−ＤＬ再構成とＤＲＸモード動作とを実行する例示的なワイヤレス通信システム８００が示される。ワイヤレス通信システム８００は、１つまたは複数のワイヤレスネットワークへのアクセスを受信するためにｅＮＢ１０５−ｇと通信することができるＵＥ１１５−ｃを含み、図１のワイヤレス通信システム１００、図３のワイヤレス通信システム３００、または図７のワイヤレス通信システム７００の態様の一例であり得る。ＵＥ１１５−ｃは、図１、図３または図７のＵＥ１１５のうちの１つまたは複数の一例であり得る。ＵＥ１１５−ｃは、（１つまたは複数の）受信機モジュール８１０と（１つまたは複数の）送信機モジュール８１５とに通信可能に結合された１つまたは複数のアンテナ８０５を含み、受信機モジュールと送信機モジュールとはさらに制御モジュール８２０に通信可能に結合される。制御モジュール８２０は、１つまたは複数のプロセッサモジュール８２５と、コンピュータ実行可能ソフトウェアコード８３５を含むことができるメモリ８３０と、ＴＤＤ  ＵＬ−ＤＬ再構成モジュール８４０と、ＤＲＸモジュール８４５とを含むことができる。コンピュータ実行可能ソフトウェアコード８３５は、プロセッサモジュール８２５、ＴＤＤ  ＵＬ−ＤＬ再構成モジュール８４０および／またはＤＲＸモジュール８４５が実行するためのものであり得る。
【００６２】
[0077]（１つまたは複数の）プロセッサモジュール８２５は、インテリジェントハードウェアデバイス、たとえば、中央処理ユニット（ＣＰＵ）、マイクロコントローラ、特定用途向け集積回路（ＡＳＩＣ）などを含むことができる。メモリ８３０は、ランダムアクセスメモリ（ＲＡＭ）と読取り専用メモリ（ＲＯＭ）とを含むことができる。メモリ８３０は、実行されたとき（またはコンパイルされ、実行されたとき）、プロセッサモジュール８２５、ＴＤＤ  ＵＬ−ＤＬ再構成モジュール８４０および／またはＤＲＸモジュール８４５に本明細書で説明される様々な機能（たとえば、ＴＤＤ  ＵＬ−ＤＬ再構成、およびＤＲＸ動作）を実行させるように構成される命令を含んでいるコンピュータ可読、コンピュータ実行可能ソフトウェアコード８３５を記憶することができる。ＴＤＤ  ＵＬ−ＤＬ再構成モジュール８４０および／またはＤＲＸモジュール８４５は、プロセッサモジュール８２５の一部として実現され得るか、またはたとえば、１つまたは複数の別個のＣＰＵまたはＡＳＩＣを使用して実現され得る。送信機モジュール８１５は、上記のように、１つまたは複数のワイヤレス通信ネットワーク（たとえば、Ｅ−ＵＴＲＡＮ、ＵＴＲＡＮなど）との通信を確立するためにｅＮＢ１０５−ｇ（および／または他のｅＮＢ）に送信することができる。ＴＤＤ  ＵＬ−ＤＬ再構成モジュール８４０は、ｅＮＢ１０５−ｇからＴＤＤ再構成メッセージを受信し、受信されたメッセージに基づいてＴＤＤ  ＵＬ−ＤＬ構成を変更するように構成され得る。ＤＲＸモジュール８４５は、ＵＥ１１５−ｃとの間の通信をモニタし、１つまたは複数の休止タイマに基づいて、ＵＥ１１５−ｃをＤＲＸモードに入れるように構成され得る。ＤＲＸモジュール８４５は、いくつかの例では、ＵＥ１１５−ｃにＵＬ−ＤＬ再構成モジュールにおける動作を中断させることができ、ＵＥ１１５−ｃを再構成されたＴＤＤ  ＵＬ−ＤＬモードから初期ＴＤＤ  ＵＬ−ＤＬ構成、または基準ＴＤＤ  ＵＬ−ＤＬ構成に切り戻すことができる。また、ＤＲＸモジュール８４５は、ＤＲＸモードから復帰すると、ＵＥ１１５−ｃがＴＤＤ  ＵＬ−ＤＬ動的再構成モードに入るべきであることと、動的再構成モードに入るタイミングとを示すことができる、ｅＮＢ１０５−ｇからのシグナリングを識別することもできる。受信機モジュール８１０は、上記のように、ｅＮＢ１０５−ｇ（および／または他のｅＮＢ）からダウンリンク送信を受信することができる。ＵＥ１１５−ｃにおいて、ダウンリンク送信が受信され、処理される。ＵＥ１１５−ｃの構成要素は、個別にまたは集合的に、ハードウェア中の適用可能な機能の一部または全部を実行するように構成された１つまたは複数の特定用途向け集積回路（ＡＳＩＣ）を用いて実現され得る。言及されたモジュールの各々は、ＵＥ１１５−ｃの動作に関係する１つまたは複数の機能を実行するための手段であり得る。
【００６３】
[0078]図９は、ＤＲＸモジュール８４５−ａの一例を示しており、ＤＲＸモジュールは、休止タイマモジュール９０５と、ＤＲＸ開始モジュール９１０と、ＤＲＸタイミングモジュール９１５と、ＤＲＸ／アクティブ状態再構成モジュール９２０とを含む。休止タイマモジュール９０５は、休止期間が休止タイマを超えたか否か、およびＤＲＸモードが開始されるべきであるか否かを決定するために、ＵＥとの間の通信をモニタすることができる。ＤＲＸ開始モジュール９１０は、休止タイマモジュール９０５によってＤＲＸモードが開始されるべきであると決定されると、ＤＲＸモードを開始する。ＤＲＸモードの開始は、送信／受信に関連付けられる構成要素から電力を除去することを含むことができる。ＤＲＸタイミングモジュール９１５は、ＤＲＸオンタイマを含む、種々のタイマを保持することができる。ＤＲＸタイミングモジュールに含まれるタイマは、ＵＥが動的再構成モードにおいて動作していたか否かに関係なく、ＵＥのための基準ＴＤＤ  ＵＬ−ＤＬ構成に基づいて決定され得る。ＤＲＸ／アクティブ状態再構成モジュール９２０は、ＵＥがＤＲＸモードから出るべきであるか否かを決定することができる。ＤＲＸ／アクティブ状態再構成モジュール９２０は、ＤＲＸモードから出た後にＵＥが動的再構成モードに入るべきでことを示すシグナリングが受信されたか否かも決定することができる。そのようなシグナリングは、上記のように、動的再構成モードが使用可能にされるべきであることを示すシグナリングとすることができ、動的再構成を開始するタイミングも含むことができる。ＤＲＸモジュール８４５−ａの構成要素は、個別にまたは集合的に、ハードウェア中の適用可能な機能の一部または全部を実行するように構成された１つまたは複数のＡＳＩＣを用いて実現され得る。言及されたモジュールの各々は、ＤＲＸモジュール８４５−ａの動作に関係する１つまたは複数の機能を実行するための手段であり得る。
【００６４】
[0079]図１０は、ｅＮＢ１０５−ｈとＵＥ１１５−ｄとを含むシステム１０００のブロック図である。このシステム１０００は、図１のワイヤレス通信システム１００、図３のワイヤレス通信システム３００、図７のワイヤレス通信システム７００、または図８のワイヤレス通信システム８００の一例であり得る。ｅＮＢ１０５−ｈは、ｅＮＢアンテナ１０３４−ａ〜１０３４−ｘを備えることができ、ＵＥ１１５−ｄは、ＵＥアンテナ１０５２−ａ〜１０５２−ｎを備えることができる。ｅＮＢアンテナ１０３４−ａ〜１０３４−ｘは、ｅＮＢ変調器／復調器１０３２−ａ〜１０３２−ｘに接続される場合があり、ＵＥアンテナ１０５２−ａ〜１０５２−ｎは、ＵＥ変調器／復調器１０５４−ａ〜１０５４−ｎに接続される場合がある。
【００６５】
[0080]ｅＮＢ１０５−ｈにおいて、送信プロセッサ１０２０がデータソースからデータを受信することができる。送信プロセッサ１０２０はデータを処理することができる。送信プロセッサ１０２０はまた、基準シンボルとセル固有基準信号も生成することができる。送信（ＴＸ）ＭＩＭＯプロセッサ１０３０が、適用可能な場合、データシンボル、制御シンボル、および／または基準シンボルに関する空間処理（たとえば、プリコーディング）を実行することができ、出力シンボルストリームをｅＮＢ変調器／復調器１０３２−ａ〜１０３２−ｘに与えることができる。各ｅＮＢ変調器／復調器１０３２は、出力サンプルストリームを入手するために、（たとえば、ＯＦＤＭなどのために）それぞれの出力シンボルストリームを処理することができる。各ｅＮＢ変調器／復調器１０３２はさらに、ダウンリンク（ＤＬ）信号を入手するために、出力サンプルストリームを処理する（たとえば、アナログに変換し、増幅し、フィルタ処理し、およびアップコンバートする）ことができる。一例では、ｅＮＢ変調器／復調器１０３２−ａ〜１０３２−ｘからのＤＬ信号は、それぞれ、特定のＴＤＤ  ＵＬ−ＤＬ構成に従って、ｅＮＢアンテナ１０３４−ａ〜１０３４−ｘを介して送信され得る。
【００６６】
[0081]ＵＥ１１５−ｄにおいて、ＵＥアンテナ１０５２−ａ〜１０５２−ｎが、ｅＮＢ１０５−ｈから特定のＴＤＤ  ＵＬ−ＤＬ構成に従ってＤＬ信号を受信することができ、受信された信号を、それぞれＵＥ変調器／復調器１０５４−ａ〜１０５４−ｎに与えることができる。各ＵＥ変調器／復調器１０５４は、入力サンプルを入手するために、それぞれの受信信号を調整する（たとえば、フィルタ処理し、増幅し、ダウンコンバートし、およびデジタル化する）ことができる。各ＵＥ変調器／復調器１０５４はさらに、受信シンボルを入手するために、（たとえば、ＯＦＤＭなどのために）入力サンプルをさらに処理することができる。ＭＩＭＯ検出器１０５６が、すべてのＵＥ変調器／復調器１０５４−ａ〜１０５４−ｎから受信シンボルを入手し、適用可能な場合は受信シンボルに関してＭＩＭＯ検出を実行し、検出されたシンボルを与えることができる。受信プロセッサ１０５８が、検出されたシンボルを処理し（たとえば、復調し、デインターリーブし、および復号し）、ＵＥ１１５−ｄのための復号されたデータをデータ出力に与え、復号された制御情報をプロセッサ１０８０、またはメモリ１０８２に与えることができる。プロセッサ１０８０はＤＲＸモジュール１０８４に結合される場合があり、ＤＲＸモジュールは、上記のように、ＤＲＸモードが開始されるべきであるか否かと、ＵＥ１１５−ｄのためのＤＲＸタイミング目的のために使用する基準ＴＤＤ  ＵＬ−ＤＬ構成とを決定することができる。プロセッサ１０８０は、現在のＴＤＤ  ＵＬ−ＤＬ構成に従ってフレームフォーマッティングを実行することができ、したがって、ｅＮＢ１０５−ｈの現在のＴＤＤ  ＵＬ−ＤＬ構成に基づいて、ＴＤＤ  ＵＬ−ＤＬフレーム構造を柔軟に構成することができる。
【００６７】
[0082]アップリンク（ＵＬ）上で、ＵＥ１１５−ｄにおいて、送信プロセッサ１０６４が、データソースからデータを受信し、処理することができる。送信プロセッサ１０６４はまた、基準信号のための基準シンボルを生成することができる。送信プロセッサ１０６４からのシンボルは、適用可能な場合、送信ＭＩＭＯプロセッサ１０６６によってプリコーディングされ、ＵＥ変調器／復調器１０５４−ａ〜１０５４−ｎによってさらに（たとえば、ＳＣ−ＦＤＭＡなどのために）処理され、ｅＮＢ１０５−ｈから受信された送信パラメータに従って、ｅＮＢ１０５−ｈに送信され得る。ｅＮＢ１０５−ｈにおいて、ＵＥ１１５−ｄからのＵＬ信号は、ｅＮＢアンテナ１０３４によって受信され、ｅＮＢ変調器／復調器１０３２によって処理され、適用可能な場合には、ＭＩＭＯ検出器１０３６によって検出され、受信プロセッサ１０３８によってさらに処理され得る。受信プロセッサ１０３８は、復号されたデータをデータ出力とプロセッサ１０４０とに与えることができる。メモリ１０４２がプロセッサ１０４０に結合され得る。プロセッサ１０４０は、現在のＴＤＤ  ＵＬ／ＤＬ構成に従ってフレームフォーマッティングを実行することができる。ＤＲＸモジュール１０４４は、いくつかの例では、先に説明されたのと同じように、ＵＥ１１５−ｄのＤＲＸモード動作中に基準ＴＤＤ  ＵＬ−ＤＬ構成に従って動作し、ＤＲＸモードから出た後にＵＥ１１５−ｄの動的再構成に関連する情報を送信するように、ｅＮＢ１０５−ｈ、またはｅＮＢ１０５−ｈの１つまたは複数のキャリアを構成または再構成することができる。システム１０００は、複数のコンポーネントキャリア上での動作をサポートすることができ、コンポーネントキャリアはそれぞれ、ｅＮＢ１０５−ｈとＵＥ１１５−ｄとの間で送信される異なる周波数の波形信号を含む。複数のコンポーネントキャリアはＵＥ１１５−ｄとｅＮＢ１０５−ｈとの間のアップリンク送信とダウンリンク送信とを搬送することができ、ｅＮＢ１０５−ｈは、それぞれが異なるＴＤＤ構成を有する場合がある複数のコンポーネントキャリア上での動作をサポートすることができる。ＵＥ１１５−ｄの構成要素は、個別にまたは集合的に、ハードウェア中の適用可能な機能の一部または全部を実行するように構成された１つまたは複数の特定用途向け集積回路（ＡＳＩＣ）を用いて実現され得る。言及されたモジュールの各々は、システム１０００の動作に関係する１つまたは複数の機能を実行するための手段であり得る。同様に、ｅＮＢ１０５−ｈの構成要素は、個別にまたは集合的に、ハードウェア中の適用可能な機能の一部または全部を実行するように適用された１つまたは複数の特定用途向け集積回路（ＡＳＩＣ）を用いて実現され得る。言及された構成要素の各々は、システム１０００の動作に関係する１つまたは複数の機能を実行するための手段であり得る。
【００６８】
[0083]図１１は、様々な例による、ワイヤレス通信システムのＵＥによって実行され得る方法１１００を示している。方法１１００は、たとえば、図１、図３、図７、図８、もしくは図１０のＵＥ１１５によって、またはこれらの図に関して説明されたデバイスの任意の組合せを使用して実行され得る。初めに、ブロック１１０５において、ＵＥは、ｅＮＢとのＴＤＤ通信のための初期ＵＬ−ＤＬ構成を決定する。特定の例では、第１のＵＬ−ＤＬ構成は、ｅＮＢとのＴＤＤ通信のために使用されることになる初期ＵＬ−ＤＬ構成とすることができ、ｅＮＢから受信されたＳＩＢ１メッセージに含まれる情報から決定され得る。ブロック１１１０において、たとえば、トラフィック条件において観測された変化に起因して、ＵＬ−ＤＬ構成の再構成が望ましいと決定すると、ＵＥは、ｅＮＢとのＴＤＤ通信のために使用されることになるＵＬ−ＤＬ構成を変更する再構成メッセージを受信する。そのメッセージは、第１のＵＬ−ＤＬ構成から第２のＵＬ−ＤＬ構成に変更することをＵＥに示することができる。ｅＩＭＴＡに従って動作する非レガシーＵＥの場合、ＴＤＤ  ＵＬ−ＤＬ構成の再構成は動的に行われ得る。ブロック１１１５において、ＵＥにおいて休止が検出された場合、ＵＥは不連続受信（ＤＲＸ）モードに切り替わる。ある例では、ＤＲＸモードへの切り替えは、休止タイマの満了に基づくことができる。ブロック１１２０において、ＤＲＸモードにあるとき、ＵＥは、ＤＲＸオン期間中にｅＮＢからの制御情報をモニタする。一例によれば、ＤＲＸオン期間の頻度は、ＵＬ−ＤＬ構成の変更に関係なく、基準ＴＤＤ  ＵＬ−ＤＬ構成に基づくことができる。１つの特定の例では、基準ＴＤＤ  ＵＬ−ＤＬ構成は、ＳＩＢ１メッセージにおいて受信された初期ＵＬ−ＤＬ構成とすることができるか、またはＲＲＣメッセージにおいてＵＥによって受信される異なるＵＬ−ＤＬ構成とすることができる。いくつかの例では、ＵＥは、ＤＲＸモードに入ると、再構成されたＵＬ−ＤＬ構成において動作するのを中断することができ、初期ＵＬ−ＤＬ構成に自律的に戻ることができる。
【００６９】
[0084]図１２は、様々な例による、ワイヤレス通信システムのＵＥによって実行され得る別の方法１２００を示している。方法１２００は、たとえば、図１、図３、図７、図８、もしくは図１０のＵＥ１１５によって、またはこれらの図に関して説明されたデバイスの任意の組合せを使用して実行され得る。初めに、ブロック１２０５において、ＵＥは、ｅＮＢとのＴＤＤ通信のための第１のＵＬ−ＤＬ構成を決定する。一例では、第１のＵＬ−ＤＬ構成は、ｅＮＢとのＴＤＤ通信のために使用されることになる初期ＵＬ−ＤＬ構成とすることができ、ｅＮＢから受信されたＳＩＢ１メッセージに含まれる情報から決定され得る。ブロック１２１０において、たとえば、トラフィック条件において観測された変化に起因して、ＵＬ−ＤＬ構成の再構成が望ましいと決定すると、ＵＥは、ｅＮＢとのＴＤＤ通信のために使用されることになるＵＬ−ＤＬ構成を変更する再構成メッセージを受信する。そのメッセージは、第１のＵＬ−ＤＬ構成から第２のＵＬ−ＤＬ構成に変更することをＵＥに示すことができる。ｅＩＭＴＡに従って動作する非レガシーＵＥの場合、ＴＤＤ  ＵＬ−ＤＬ構成の再構成は動的に行われ得る。ブロック１２１５において、ＵＥにおいて休止が検出された場合、ＵＥは不連続受信（ＤＲＸ）モードに切り替わる。ある例では、ＤＲＸモードへの切り替えは、休止タイマの満了に基づくことができる。ブロック１２２０において、ＤＲＸモードにあるとき、ＵＥは、ＤＲＸオン期間中にｅＮＢからの制御情報をモニタする。１つの特定の例によれば、ＤＲＸオン期間の頻度は、ＵＬ−ＤＬ構成の変更に関係なく、基準ＴＤＤ  ＵＬ−ＤＬ構成に基づくことができる。先に言及されたように、一例では、基準ＴＤＤ  ＵＬ−ＤＬ構成は、ＳＩＢ１メッセージにおいて受信された初期ＵＬ−ＤＬ構成とすることができるか、またはＲＲＣメッセージにおいてＵＥによって受信される異なるＵＬ−ＤＬ構成とすることができる。ブロック１２２５において、ＵＥは、ｅＮＢから受信された制御情報に応答して、ＤＲＸモードから切り替わる。ある例では、ＤＲＸモードからの切り替えは、たとえば、データがＵＥに送信されることを示すｅＮＢからの制御情報を受信する結果とすることができる。いくつかの例では、ＤＲＸモードからの切り替えは、ＵＥがｅＮＢにデータを送信できるようにするために行うことができる。そのような場合、ＵＥは最初に、データがＵＥから送信されることになり、ＤＲＸモードから切り替わるというインジケーションをｅＮＢに送信することができる。ブロック１２３０において、たとえば、トラフィック条件において観測された変化に応答して、ＵＥが異なるＵＬ−ＤＬ構成に切り替わることができるようにするために、ＵＥは、動的再構成モードへの切り替えのインジケーションと、切り替えを開始するタイミングとをｅＮＢから受信する。動的再構成モードへの切り替えのインジケーションと、切り替えを開始するタイミングとは、たとえば、Ｌ１シグナリング、ＭＡＣシグナリングまたはＲＲＣシグナリングのうちの１つまたは複数を介して受信され得る。ブロック１２３５において、ＵＥは再構成されたＴＤＤ  ＵＬ−ＤＬ構成に変更する。
【００７０】
[0085]図１３は、様々な例による、ワイヤレス通信システムにおいてＵＥによって実行され得る別の方法１３００を示している。方法１３００は、たとえば、図１、図３、図７、図８、もしくは図１０のＵＥ１１５によって、またはこれらの図に関して説明されたデバイスの任意の組合せを使用して実行され得る。最初に、ブロック１３０５において、ユーザ機器は、ｅＮＢとのＴＤＤ通信のための再構成されたＵＬ−ＤＬ構成を用いて、動的ＴＤＤ  ＵＬ−ＤＬ再構成モードに入る。ＵＥが入る再構成されたＵＬ−ＤＬ構成は、ＵＥとｅＮＢとの間の初期ＴＤＤ  ＵＬ−ＤＬ構成とは異なる場合がある。ブロック１３１０において、ＵＥは、不連続受信（ＤＲＸ）モードに入るとき、動的ＴＤＤ  ＵＬ−ＤＬ再構成モードを中断する。ある例では、ＵＥは、ＤＲＸモードに入るときに、動的ＴＤＤ  ＵＬ−ＤＬ再構成モードを自律的に中断することができる。いくつかの例では、ＤＲＸモード中に、ＵＥはＤＲＸオン期間中にｅＮＢから制御情報をモニタすることができ、その頻度は、再構成されたＵＬ−ＤＬ構成とは関係なく、基準ＴＤＤ  ＵＬ−ＤＬ構成に基づく。基準ＴＤＤ  ＵＬ−ＤＬ構成は、たとえば、初期ＴＤＤ  ＵＬ−ＤＬ構成とすることができる。
【００７１】
[0086]図１４は、様々な例による、ワイヤレス通信システムにおいてｅＮＢによって実行され得る方法１４００を示している。方法１４００は、たとえば、図１、図３、図７、図８、もしくは図１０のｅＮＢ１０５によって、またはこれらの図に関して説明されたデバイスの任意の組合せを使用して実行され得る。初めに、ブロック１４０５において、ｅＮＢは、ＵＥとのＴＤＤ通信のためのアップリンク−ダウンリンク（ＵＬ−ＤＬ）構成を決定する。いくつかの例では、ＵＬ−ＤＬ構成は、ＵＥとのＴＤＤ通信のために使用されることになる初期ＵＬ−ＤＬ構成とすることができる。ブロック１４１０において、ｅＮＢは、セルレベルＵＬおよびＤＬトラフィック負荷に基づいて、ＵＥとのＴＤＤ通信のために使用されることになるＵＬ−ＤＬ構成を定期的に再構成する。最後に、ブロック１４１５においてｅＮＢは、不連続受信（ＤＲＸ）オン期間中にＵＥに制御情報を送信する。１つの具体例では、ＤＲＸオン期間の頻度は、セルの再構成されるＵＬ−ＤＬ構成に関係なく、基準ＴＤＤ  ＵＬ−ＤＬ構成に基づくことができる。基準ＵＬ−ＤＬ構成は、システム情報ブロックタイプ１（ＳＩＢ１）メッセージにおいて送信される初期ＵＬ−ＤＬ構成とすることができる。代替的には、基準ＵＬ−ＤＬ構成は初期ＵＬ−ＤＬ構成とは異なる場合があり、たとえば、ＲＲＣメッセージにおいてＵＥに送信され得る。いくつかの例では、ｅＮＢは、ＵＥがＤＲＸモードにあると決定すると、ＵＬ−ＤＬ構成の再構成を中断することができる。
【００７２】
[0087]図１５は、様々な例による、ワイヤレス通信システムにおいてｅＮＢによって実行され得る方法１５００を示している。方法１５００は、たとえば、図１、図３、図７、図８、もしくは図１０のｅＮＢ１０５によって、またはこれらの図に関して説明されたデバイスの任意の組合せを使用して実行され得る。初めに、ブロック１５０５において、ｅＮＢは、ＵＥとのＴＤＤ通信のためのアップリンク−ダウンリンク（ＵＬ−ＤＬ）構成を決定する。いくつかの例では、ＵＬ−ＤＬ構成は、ＵＥとのＴＤＤ通信のために使用されることになる初期ＵＬ−ＤＬ構成とすることができる。ブロック１５１０において、ｅＮＢは、セルレベルＵＬおよびＤＬトラフィック負荷に基づいて、ＵＥとのＴＤＤ通信のために使用されることになるＵＬ−ＤＬ構成を定期的に再構成する。ブロック１５１５において、ｅＮＢは、不連続受信（ＤＲＸ）オン期間中にＵＥに制御情報を送信する。１つの具体例では、ＤＲＸオン期間の頻度は、セルの再構成されるＵＬ−ＤＬ構成に関係なく、基準ＴＤＤ  ＵＬ−ＤＬ構成に基づくことができる。基準ＵＬ−ＤＬ構成は、システム情報ブロックタイプ１（ＳＩＢ１）メッセージにおいて送信される初期ＵＬ−ＤＬ構成とすることができる。代替的には、ＵＬ−ＤＬ構成は、初期ＵＬ−ＤＬ構成とは異なる場合があり、たとえば、ＲＲＣメッセージにおいてＵＥに送信され得る。いくつかの例では、ｅＮＢは、ＵＥがＤＲＸモードにあると決定すると、ＵＬ−ＤＬ構成の再構成を中断することができる。
【００７３】
[0088]ブロック１５２０において、ｅＮＢは、ＵＥがＤＲＸモードから出ることになると決定する。種々の態様において、そのような決定は、ＵＥに送信するためのダウンリンクデータの存在に基づいて行われ得るか、またはＵＥがｅＮＢに送信するアップリンクデータを有することを示すＵＥからのスケジューリング要求（ＳＲ）を受信するのに応答して行われ得る。ブロック１５２５において、ＵＥがＤＲＸモードから出るとき、ｅＮＢはＵＥに対する動的ＵＬ−ＤＬ再構成をアクティベートすることができる。いくつかの例では、上記のように、そのアクティベートは、新たなＵＬ−ＤＬ構成が使用されることになること、および新たなＵＬ−ＤＬ構成を使用し始める時点を示す情報をＵＥに送信することによって成し遂げられ得る。いくつかの例では、新たなＵＬ−ＤＬ構成は基準ＵＬ−ＤＬ構成とは異なる場合がある。最後に、ブロック１５３０において、ｅＮＢはＵＥに、ＵＥとの通信において使用されることになる新たなＵＬ−ＤＬ構成を送信する。ＵＥがＤＲＸモードから出た後の動的ＵＬ−ＤＬ再構成への切り替えは、たとえば、ＵＥに送信されることになるデータの量に基づくことができる。１つの具体例では、動的再構成モードへの切り替えインジケーションおよびその切り替えを開始するタイミングは、たとえば、Ｌ１シグナリング、ＭＡＣシグナリングまたはＲＲＣシグナリングのうちの１つまたは複数を用いて送信され得る。
【００７４】
[0089]添付の図面に関して上記に記載した詳細な説明は、例示的な例について説明しており、実現され得るか、または特許請求の範囲内にある例のみを表すものではない。この説明全体にわたって使用する「例示的」という用語は、「例、事例、または例示の働きをすること」を意味し、「好ましい」または「他の例よりも有利な」ことを意味しない。発明を実施するための形態は、説明された技法の理解を与えるために、具体的な詳細を含む。ただし、これらの技法は、これらの具体的な詳細なしに実施され得る。いくつかの事例では、説明された例の概念を不明瞭にすることを避けるために、よく知られている構造およびデバイスがブロック図の形で示されている。
【００７５】
[0090]情報および信号は、多種多様な技術および技法のいずれかを使用して表され得る。たとえば、上記の説明全体にわたって言及され得るデータ、命令、コマンド、情報、信号、ビット、シンボル、およびチップは、電圧、電流、電磁波、磁界もしくは磁性粒子、光場もしくは光学粒子、またはそれらの任意の組合せによって表され得る。
【００７６】
[0091]本明細書の開示に関して説明された様々な例示的なブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタ論理、個別ハードウェア構成要素、または本明細書で説明された機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つもしくは複数のマイクロプロセッサ、または任意の他のそのような構成としても実装され得る。
【００７７】
[0092]本明細書で説明された機能は、ハードウェア、プロセッサによって実行されるソフトウェア、ファームウェア、またはそれらの任意の組合せで実現され得る。プロセッサによって実行されるソフトウェアで実現される場合、機能は、１つまたは複数の命令またはコードとしてコンピュータ可読媒体上に記憶されるか、あるいはコンピュータ可読媒体を介して送信され得る。他の例および実施態様は、本開示および添付の特許請求の範囲の範囲および趣旨内にある。たとえば、ソフトウェアの性質により、上記で説明された機能は、プロセッサ、ハードウェア、ファームウェア、ハードワイヤリング、またはこれらのうちのいずれかの組合せによって実行されるソフトウェアを使用して実現され得る。機能を実現する特徴はまた、機能の部分が、異なる物理的な場所において実現されるように分散されることを含めて、様々な位置に物理的に配置され得る。また、特許請求の範囲を含めて、本明細書で使用される場合、「のうちの少なくとも１つ」で終わる項目の列挙中で使用される「または」は選言的列挙を示しており、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味する。
【００７８】
[0093]コンピュータ可読媒体は、ある場所から別の場所へのコンピュータプログラムの転送を容易にする任意の媒体を含む、コンピュータ記憶媒体と通信媒体の両方を含む。記憶媒体は、汎用または専用のコンピュータによってアクセスされ得る任意の利用可能な媒体であり得る。限定ではなく例として、コンピュータ可読媒体は、ＲＡＭ、ＲＯＭ、ＥＥＰＲＯＭ（登録商標）、ＣＤ−ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され、汎用もしくは専用コンピュータ、もしくは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−Ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【００７９】
[0094]本開示についてのこれまでの説明は、当業者が本開示を構成または使用することができるように与えられる。本開示への様々な修正は当業者には容易に明らかとなり、本明細書で定義された一般原理は、本開示の趣旨または範囲から逸脱することなく他の変形形態に適用され得る。本開示全体にわたって、「例」または「例示的」という用語は、一例または一事例を示すものであり、言及された例についてのいかなる優先をも暗示することはなく、または要求することもない。したがって、本開示は、本明細書で説明された例および設計に限定されるべきでなく、本明細書で開示される原理および新規の特徴に合致する最も広い範囲を与えられるべきである。
以下に、本願出願の当初の特許請求の範囲に記載された発明を付記する。
［Ｃ１］
ｅＮＢと時分割複信（ＴＤＤ）通信しているユーザ機器（ＵＥ）によって実行されるワイヤレス通信の方法であって、
前記ｅＮＢとのＴＤＤ通信のための第１のアップリンク−ダウンリンク（ＵＬ−ＤＬ）構成を決定することと、
前記ｅＮＢとのＴＤＤ通信のために使用されることになる第２のＵＬ−ＤＬ構成に前記第１のＵＬ−ＤＬ構成を変更する、再構成メッセージを受信することと
を備える、方法。
［Ｃ２］
不連続受信（ＤＲＸ）モードに切り替わることと、
ＤＲＸオン期間中に前記ｅＮＢからの制御情報をモニタすることと、ここにおいて、前記ＤＲＸオン期間の頻度は、前記変更されたＵＬ−ＤＬ構成に関係なく、基準ＴＤＤ  ＵＬ−ＤＬ構成に基づく、
ＤＲＸモードがアクティブであるときに、前記第１のＵＬ−ＤＬ構成に戻ることと
をさらに備え、前記第１のＵＬ−ＤＬ構成は初期ＵＬ−ＤＬ構成である、
［Ｃ１］に記載の方法。
［Ｃ３］
前記ＤＲＸモードから切り替わることと、
前記ｅＮＢとの通信のために使用されることになる新たなＵＬ−ＤＬ構成を決定することと
をさらに備える、［Ｃ２］に記載の方法。
［Ｃ４］
前記新たなＵＬ−ＤＬ構成を決定することは、
動的再構成モードへの切り替えインジケーションと、前記切り替えを開始するタイミングとを前記ｅＮＢから受信することと、
後続の無線フレームのための前記新たなＵＬ−ＤＬ構成を受信することと
を備える、［Ｃ３］に記載の方法。
［Ｃ５］
前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
［Ｃ４］に記載の方法。
［Ｃ６］
前記ＤＲＸモードから前記切り替わることは、
ＤＲＸアクティブ期間中に前記ｅＮＢから制御情報を受信することを備える、
［Ｃ３］に記載の方法。
［Ｃ７］
前記ＤＲＸモードから前記切り替わることは、
データが前記ｅＮＢに送信されることを決定することと、
データが前記ＵＥから送信されるというインジケーションを前記ｅＮＢに送信することと
を備える、［Ｃ３］に記載の方法。
［Ｃ８］
前記基準ＴＤＤ  ＵＬ−ＤＬ構成は、前記第１のＵＬ−ＤＬ構成であり、前記第１のＵＬ−ＤＬ構成は、初期ＵＬ−ＤＬ構成である、
［Ｃ１］に記載の方法。
［Ｃ９］
前記初期ＵＬ−ＤＬ構成は、システム情報ブロックタイプ１（ＳＩＢ１）において受信される、
［Ｃ８］に記載の方法。
［Ｃ１０］
前記基準ＴＤＤ  ＵＬ−ＤＬ構成は、前記第１のＵＬ−ＤＬ構成とは異なり、前記第１のＵＬ−ＤＬ構成は初期ＵＬ−ＤＬ構成である、
［Ｃ１］に記載の方法。
［Ｃ１１］
前記基準ＴＤＤ  ＵＬ−ＤＬ構成は、前記ＵＥへの無線リソース制御メッセージにおいて受信される、
［Ｃ１０］に記載の方法。
［Ｃ１２］
複数の時分割複信（ＴＤＤ）アップリンク−ダウンリンク（ＵＬ−ＤＬ）構成のうちの１つを使用して動作するように構成されたワイヤレス通信ユーザ機器（ＵＥ）装置であって、
ｅＮＢとのＴＤＤ通信のための第１のアップリンク−ダウンリンク（ＵＬ−ＤＬ）構成を決定するための手段と、
前記ｅＮＢとのＴＤＤ通信のために使用されることになる第２のＵＬ−ＤＬ構成に前記第１のＵＬ−ＤＬ構成を変更する、再構成メッセージを受信するための手段と
を備える、装置。
［Ｃ１３］
不連続受信（ＤＲＸ）モードに切り替わるための手段と、
ＤＲＸオン期間中に前記ｅＮＢからの制御情報をモニタするための手段と、前記ＤＲＸオン期間の頻度は、前記変更されたＵＬ−ＤＬ構成に関係なく、基準ＴＤＤ  ＵＬ−ＤＬ構成に基づく、
ＤＲＸモードがアクティブであるときに、前記第１のＵＬ−ＤＬ構成に戻るための手段と
をさらに備え、前記第１のＵＬ−ＤＬ構成は、初期ＵＬ−ＤＬ構成である、
［Ｃ１２］に記載の装置。
［Ｃ１４］
前記ＤＲＸモードから切り替わるための手段と、
前記ｅＮＢとの通信のために使用されることになる新たなＵＬ−ＤＬ構成を決定するための手段と
をさらに備える、［Ｃ１３］に記載の装置。
［Ｃ１５］
前記新たなＵＬ−ＤＬ構成を決定するための前記手段は、
動的再構成モードへの切り替えインジケーションと、前記切り替えを開始するタイミングとを前記ｅＮＢから受信するための手段と、
後続の無線フレームのための前記新たなＵＬ−ＤＬ構成を受信するための手段と
を備える、［Ｃ１４］に記載の装置。
［Ｃ１６］
前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
［Ｃ１５］に記載の装置。
［Ｃ１７］
前記ＤＲＸモードから切り替わるための前記手段は、
ＤＲＸアクティブ期間中に前記ｅＮＢから制御情報を受信するための手段を備える、
［Ｃ１４］に記載の装置。
［Ｃ１８］
前記ＤＲＸモードから切り替わるための前記手段は、
データが前記ｅＮＢに送信されることを決定するための手段と、
データが前記ＵＥから送信されるというインジケーションを前記ｅＮＢに送信するための手段と
を備える、［Ｃ１４］に記載の装置。
［Ｃ１９］
複数の時分割複信（ＴＤＤ）アップリンク−ダウンリンク（ＵＬ−ＤＬ）構成のうちの１つを使用して動作するように構成されたワイヤレス通信ユーザ機器（ＵＥ）装置であって、
ｅＮＢとのＴＤＤ通信のための第１のアップリンク−ダウンリンク（ＵＬ−ＤＬ）構成を決定することと、
前記ｅＮＢとのＴＤＤ通信のために使用されることになる第２のＵＬ−ＤＬ構成に前記第１のＵＬ−ＤＬ構成を変更する、再構成メッセージを受信することと
行うように構成される少なくとも１つのプロセッサを備える、
装置。
［Ｃ２０］
前記少なくとも１つのプロセッサは、
前記ＤＲＸモードから切り替わることと、
前記ｅＮＢとの通信のために使用されることになる新たなＵＬ−ＤＬ構成を決定することと、
不連続受信（ＤＲＸ）モードに切り替わることと、
ＤＲＸオン期間中に前記ｅＮＢからの制御情報をモニタすることと
を行うようにさらに構成され、前記ＤＲＸオン期間の頻度は前記変更されたＵＬ−ＤＬ構成とは関係なく、基準ＴＤＤ  ＵＬ−ＤＬ構成に基づく、
［Ｃ１９］に記載の装置。
［Ｃ２１］
前記少なくとも１つのプロセッサは、
前記ＤＲＸモードから切り替わることと、
前記ｅＮＢと通信するために使用されることになる新たなＵＬ−ＤＬ構成を決定することと
を行うようにさらに構成される、［Ｃ２０］に記載の装置。
［Ｃ２２］
前記新たなＵＬ−ＤＬ構成を前記決定することは、
動的再構成モードへの切り替えインジケーションと、前記切り替えを開始するタイミングとを前記ｅＮＢから受信することと、
後続の無線フレームのための前記新たなＵＬ−ＤＬ構成を受信することと
を備える、［Ｃ２１］に記載の装置。
［Ｃ２３］
前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
［Ｃ２２］に記載の装置。
［Ｃ２４］
前記ＤＲＸモードから前記切り替わることは、
ＤＲＸアクティブ期間中に前記ｅＮＢからの制御情報を受信することを備える、
［Ｃ２１］に記載の装置。
［Ｃ２５］
前記ＤＲＸモードから前記切り替わることは、
データが前記ｅＮＢに送信されることを決定することと、
データが前記ＵＥから送信されるというインジケーションを前記ｅＮＢに送信することと
を備える、［Ｃ２１］に記載の装置。
［Ｃ２６］
非一時的コンピュータ可読媒体を備えるコンピュータプログラム製品であって、前記非一時的コンピュータ可読媒体は、
コンピュータに、前記ｅＮＢとのＴＤＤ通信のための第１のアップリンク−ダウンリンク（ＵＬ−ＤＬ）構成を決定させるための命令と、
前記コンピュータに、前記ｅＮＢとのＴＤＤ通信のために使用されることになる第２のＵＬ−ＤＬ構成に前記第１のＵＬ−ＤＬ構成を変更する、再構成メッセージを受信させるための命令と
を備える、コンピュータプログラム製品。
［Ｃ２７］
前記コンピュータ可読媒体は、
前記コンピュータに、不連続受信（ＤＲＸ）モードに切り替えさせるための命令と、
前記コンピュータに、ＤＲＸオン期間中に前記ｅＮＢからの制御情報をモニタさせるための命令と、前記ＤＲＸオン期間の頻度は、前記変更されたＵＬ−ＤＬ構成に関係なく、基準ＴＤＤ  ＵＬ−ＤＬ構成に基づく、
前記コンピュータに、ＤＲＸモードがアクティブであるときに、前記第１のＵＬ−ＤＬ構成に戻らせるための命令と
をさらに備え、前記第１のＵＬ−ＤＬ構成は、初期ＵＬ−ＤＬ構成である、
［Ｃ２６］に記載のコンピュータプログラム製品。
［Ｃ２８］
前記コンピュータ可読媒体は、
前記コンピュータに、前記ＤＲＸモードから切り替えさせるための命令と、
前記コンピュータに、前記ｅＮＢとの通信のために使用されることになる新たなＵＬ−ＤＬ構成を決定させるための命令と
をさらに備える、［Ｃ２７］に記載のコンピュータプログラム製品。
［Ｃ２９］
前記コンピュータ可読媒体は、
前記コンピュータに、動的再構成モードへの切り替えインジケーションと、前記切り替えを開始するタイミングとを前記ｅＮＢから受信させるための命令と、
前記コンピュータに、後続の無線フレームのための前記新たなＵＬ−ＤＬ構成を受信させるための命令と
をさらに備える、［Ｃ２８］に記載のコンピュータプログラム製品。
［Ｃ３０］
前記動的再構成モードへの前記切り替えインジケーションと、前記切り替えを開始する前記タイミングとは、レイヤ１（Ｌ１）シグナリング、媒体アクセス制御（ＭＡＣ）シグナリング、または無線リソース制御（ＲＲＣ）シグナリングのうちの１つまたは複数を介して受信される、
［Ｃ２９］に記載のコンピュータプログラム製品。
【図１】
0006441237.tif 000002
【図２】
0006441237.tif 000003
【図３】
0006441237.tif 000004
【図４】
0006441237.tif 000005
【図５】
0006441237.tif 000006
【図６】
0006441237.tif 000007
【図７】
0006441237.tif 000008
【図８】
0006441237.tif 000009
【図９】
0006441237.tif 000010
【図１０】
0006441237.tif 000011
【図１１】
0006441237.tif 000012
【図１２】
0006441237.tif 000013
【図１３】
0006441237.tif 000014
【図１４】
0006441237.tif 000015
【図１５】
0006441237.tif 000016